(57)【要約】【課題】リーチ図柄と課題図柄の組み合わせのバリエーションを増加させるとともに、その出現率も均一化し、課題図柄と異なるリーチ図柄が導出された場合であっても、大当りとなることに期待を持たせること。【解決手段】統括制御用ＣＰＵは、リーチラインの本数が増加するはずれリーチ演出用の変動パターンが選択された場合、全図柄数からリーチライン上に表示される図柄数を除いた数分の図柄の中から何れか１つの図柄を仮課題図柄として決定する。そして、統括制御用ＣＰＵは、仮課題図柄を特定する図柄番号と禁則基準図柄を特定する図柄番号とを比較し、仮課題図柄を特定する図柄番号が禁則図柄を特定する図柄番号以上であれば、仮課題図柄に増加後リーチライン数を加算した値を、課題図柄を特定する図柄番号として再算出する。一方、仮課題図柄を特定する図柄番号が禁則図柄を特定する図柄番号未満であれば、仮課題図柄を課題図柄として決定する。【選択図】図５
2011172864.tif 000002
【特許請求の範囲】
【請求項１】
複数種類の図柄を複数の図柄列で変動させて図柄組み合わせを表示する図柄変動ゲームを含む遊技演出を表示する表示手段を備え、所定のリーチ形成図柄を表示してリーチを形成させることを課題として遊技者に提示し、その提示した前記課題が行われた前記図柄変動ゲームにて大当りの図柄組み合わせを導出する課題付与演出を実行させる遊技機において、
前記リーチ形成図柄を決定するリーチ形成図柄決定手段と、
前記課題付与演出が実行される場合に、課題として提示するリーチ形成図柄を決定する課題決定手段と、
前記図柄変動ゲームの演出内容を決定する演出内容決定手段と、
前記表示手段の表示内容を制御する演出制御手段と、を備え、
前記複数の図柄列で変動表示される各図柄の前後では、大当りの図柄組み合わせを構成可能な同一図柄が予め定めた表示順序で変動表示されるようになっており、
前記演出内容には、リーチ形成後、リーチ状態を認識し得るリーチラインの本数を第１本数とする第１リーチ演出を実行する通常演出と、前記第１リーチ演出の実行後、前記第１演出で導出されたリーチ形成図柄を基準として予め定めた基準方向に沿って表示順序が連続する図柄を表示させて前記リーチラインの本数を前記第１本数以上とする第２リーチ演出を実行する特定演出と、を含み、
前記課題決定手段は、前記特定演出が実行される場合、図柄列で変動表示される図柄のうち前記リーチ形成図柄を基準とする特定範囲内の複数の図柄の中から１つの図柄を課題として決定することを特徴とする遊技機。
【請求項２】
大当りか否かの大当り抽選に当選しなかった場合に決定可能な課題としての図柄の特定範囲は、前記第２リーチ演出で導出されるリーチ形成図柄とは異なる図柄である一方、前記大当り抽選に当選した場合に決定可能な課題としての図柄の特定範囲は、前記第２リーチ演出で導出されるリーチ形成図柄に含まれる図柄であることを特徴とする請求項１に記載の遊技機。
【請求項３】
各図柄列で変動表示される図柄の種類は、各図柄の種類を特定する特定値によって管理されており、前記第２リーチ演出実行時における第１停止列の図柄を特定する特定値は降順となっている一方で、第２停止列及び第３停止列の図柄を特定する特定値は昇順となっており、
前記課題決定手段は、大当りか否かの大当り抽選に当選しなかった際に前記特定演出が実行される場合、
前記第１リーチ演出で導出されるリーチ形成図柄を特定する第１特定値に基準としたリーチ形成列の図柄数を加算した値からリーチライン増加数を減算した値を第１の演算値とし、該第１の演算値を前記図柄数で除算した際の剰余値を、前記第２リーチ演出で導出されるリーチ形成図柄を特定する第２特定値として算出し、
前記図柄数から前記第２リーチ演出におけるリーチライン数を減算した数分の課題決定値の中から何れか１つの値をランダムに決定するとともに、該課題決定値で特定される値を仮図柄として決定し、
前記課題決定値で特定される仮図柄が前記第２特定値で特定される図柄よりも表示順序が前であった場合、決定した仮図柄を課題図柄として決定する一方で、前記課題決定値で特定される仮図柄が前記第２特定値で特定される図柄と同じ場合、又は前記図柄よりも表示順序が後であった場合、前記課題決定値に前記第２リーチ演出におけるリーチライン数を加算した値を、新たな課題決定値とすることを特徴とする請求項１又は請求項２に記載の遊技機。
【発明の詳細な説明】
【技術分野】
【０００１】
本発明は、図柄変動ゲーム中に所定の演出を出現させることを課題として遊技者に提示し、その提示した演出の出現によって大当りを認識可能な大当り図柄を導出する課題付与演出を実行可能な遊技機に関する。
【背景技術】
【０００２】
従来、遊技機の一種であるパチンコ遊技機では、遊技者の興趣を向上させるために様々な内容の遊技演出が行われている。例えば、「○図柄でリーチをかけろ！」などといった課題（以下、「ミッション」という）を付与する課題付与演出を行い、見掛け上、ミッションを達成したら大当りとなるように制御するパチンコ遊技機が提案されている（例えば、特許文献１参照）。
【先行技術文献】
【特許文献】
【０００３】
【特許文献１】特開２００８−２２８８９１号公報
【発明の概要】
【発明が解決しようとする課題】
【０００４】
また、近年では、遊技者の興趣を向上させるために、リーチ形成後、リーチ状態を認識し得るリーチラインの本数をさらに増加させる増加演出も行われるようになっている。このような場合、リーチラインの増加によって、見た目上、大当りのチャンスが増大したかのように視認し得る。ところが、特許文献１のようなパチンコ遊技機において前述したような増加演出を実行させようとすると、実際は大当り抽選に当選していないにもかかわらず、課題を達成したかのような錯覚を与えてしまう場合がある。例えば、はずれリーチ演出用の変動パターンに基づいて実行される図柄変動ゲームにおいて、「３図柄でリーチをかけろ！」といった課題が提示された後に、［２］で形成されるリーチ図柄が導出されるとする。この場合、課題図柄とリーチ形成図柄が異なるので、ミッション達成とはならない。ところが、増加演出が実行されたことにより、［２］で形成されるリーチ図柄を基準として、［２］［３］［４］で形成されるリーチ図柄がそれぞれ導出されたとすると、リーチライン増加後のリーチ図柄の中に課題図柄と同一の図柄が含まれてしまう。これにより、課題を達成したかのような誤解を生じさせてしまうことになる。
【０００５】
このような場合、課題図柄としてリーチライン増加後のリーチ図柄と同一の図柄を選択してしまった際には、その課題図柄に所定値（例えば、「１」）を加算することで、課題図柄としてリーチライン増加後のリーチ図柄とは異なる図柄を選択することができる。ところが、このように、課題図柄とリーチ図柄が同一図柄となった場合に所定値を加算するだけでは、リーチ図柄と課題図柄の差分を見ただけで「はずれ」と認識される虞があり、大当りとなることに期待を持たせ難くなってしまう。
【０００６】
この発明は、このような従来の技術に存在する問題点に着目してなされたものであり、その目的は、リーチ図柄と課題図柄の組み合わせのバリエーションを増加させるとともに、その出現率も均一化し、課題図柄と異なるリーチ図柄が導出された場合であっても、大当りとなることに期待を持たせることができる遊技機を提供することにある。
【課題を解決するための手段】
【０００７】
上記問題点を解決するために、請求項１に記載の発明は、複数種類の図柄を複数の図柄列で変動させて図柄組み合わせを表示する図柄変動ゲームを含む遊技演出を表示する表示手段を備え、所定のリーチ形成図柄を表示してリーチを形成させることを課題として遊技者に提示し、その提示した前記課題が行われた前記図柄変動ゲームにて大当りの図柄組み合わせを導出する課題付与演出を実行させる遊技機において、前記リーチ形成図柄を決定するリーチ形成図柄決定手段と、前記課題付与演出が実行される場合に、課題として提示するリーチ形成図柄を決定する課題決定手段と、前記図柄変動ゲームの演出内容を決定する演出内容決定手段と、前記表示手段の表示内容を制御する演出制御手段と、を備え、前記複数の図柄列で変動表示される各図柄の前後では、大当りの図柄組み合わせを構成可能な同一図柄が予め定めた表示順序で変動表示されるようになっており、前記演出内容には、リーチ形成後、リーチ状態を認識し得るリーチラインの本数を第１本数とする第１リーチ演出を実行する通常演出と、前記第１リーチ演出の実行後、前記第１演出で導出されたリーチ形成図柄を基準として予め定めた基準方向に沿って表示順序が連続する図柄を表示させて前記リーチラインの本数を前記第１本数以上とする第２リーチ演出を実行する特定演出と、を含み、前記課題決定手段は、前記特定演出が実行される場合、図柄列で変動表示される図柄のうち前記リーチ形成図柄を基準とする特定範囲内の複数の図柄の中から１つの図柄を課題として決定することを要旨とする。
【０００８】
請求項２に記載の発明は、請求項１に記載の遊技機において、大当りか否かの大当り抽選に当選しなかった場合に決定可能な課題としての図柄の特定範囲は、前記第２リーチ演出で導出されるリーチ形成図柄とは異なる図柄である一方、前記大当り抽選に当選した場合に決定可能な課題としての図柄の特定範囲は、前記第２リーチ演出で導出されるリーチ形成図柄に含まれる図柄であることを要旨とする。
【０００９】
請求項３に記載の発明は、請求項１又は請求項２に記載の遊技機において、各図柄列で変動表示される図柄の種類は、各図柄の種類を特定する特定値によって管理されており、前記第２リーチ演出実行時における第１停止列の図柄の表示順序は降順となっている一方で、第２停止列及び第３停止列は昇順となっており、前記課題決定手段は、大当りか否かの大当り抽選に当選しなかった際に前記特定演出が実行される場合、前記第１リーチ演出で導出されるリーチ形成図柄を特定する第１特定値に基準としたリーチ形成列の図柄数を加算した値からリーチライン増加数を減算した値を第１の演算値とし、該第１の演算値を前記図柄数で除算した際の剰余値を、前記第２リーチ演出で導出されるリーチ形成図柄を特定する第２特定値として算出し、前記図柄数から前記第２リーチ演出におけるリーチライン数を減算した数分の課題決定値の中から何れか１つの値をランダムに決定するとともに、該課題決定値で特定される値を仮図柄として決定し、前記課題決定値で特定される仮図柄が前記第２特定値で特定される図柄よりも表示順序が前であった場合、決定した仮図柄を課題図柄として決定する一方で、前記課題決定値で特定される仮図柄が前記第２特定値で特定される図柄と同じ場合、又は前記図柄よりも表示順序が後であった場合、前記課題決定値に前記第２リーチ演出におけるリーチライン数を加算した値を、新たな課題決定値とすることを要旨とする。
【発明の効果】
【００１０】
本発明によれば、リーチ図柄と課題図柄の組み合わせのバリエーションを増加させるとともに、その出現率も均一化し、課題図柄と異なるリーチ図柄が導出された場合であっても、大当りとなることに期待を持たせることができる。
【図面の簡単な説明】
【００１１】
【図１】パチンコ遊技機の機表側を示す正面図。
【図２】パチンコ遊技機の電気的構成を示すブロック図。
【図３】変動パターンの種類を説明する説明図。
【図４】（ａ）〜（ｆ）は、リーチラインが増加する演出態様を示す模式図。
【図５】ライン増加数が２本に定められたはずれリーチ演出用の変動パターンが選択された場合における課題図柄とリーチ図柄の組み合わせを説明する説明図。
【図６】ライン増加数が３本に定められたはずれリーチ演出用の変動パターンが選択された場合における課題図柄とリーチ図柄の組み合わせを説明する説明図。
【図７】（ａ）〜（ｃ）は、ライン増加数が２本に定められたはずれリーチ演出用の変動パターンが選択されるとともに、課題図柄として増加後リーチ図柄と同一の図柄が決定された際の遊技の流れを示す模式図。
【図８】（ａ）〜（ｃ）は、ライン増加数が２本に定められたはずれリーチ演出用の変動パターンが選択されるとともに、課題図柄として増加後リーチ図柄と異なる図柄が決定された際の遊技の流れを示す模式図。
【図９】（ａ）〜（ｃ）は、ライン増加数が３本に定められたはずれリーチ演出用の変動パターンが選択されるとともに、課題図柄として増加後リーチ図柄と同一の図柄が決定された際の遊技の流れを示す模式図。
【図１０】（ａ）〜（ｃ）は、ライン増加数が３本に定められたはずれリーチ演出用の変動パターンが選択されるとともに、課題図柄として増加後リーチ図柄と異なる図柄が決定された際の遊技の流れを示す模式図。
【発明を実施するための形態】
【００１２】
以下、本発明を遊技機の一種であるパチンコ遊技機に具体化した一実施形態を図１〜図１０に基づいて説明する。
図１には、パチンコ遊技機１０が略示されており、パチンコ遊技機１０の機体の外郭をなす外枠１１の開口前面側には、各種の遊技用構成部材をセットする縦長方形の中枠１２が開放及び着脱自在に組み付けられているとともに、中枠１２の前面側には前枠１４が開閉及び着脱自在に組み付けられている。前枠１４は、図１に示すようにパチンコ遊技機１０を機正面側から見た場合において、中枠１２に重なるように組み付けられている。前枠１４は、遊技球を貯留可能な上皿１５を一体成形した構成とされているとともに、裏面側には、機内部に配置された遊技盤１３を保護するガラス支持枠が組み付けられている。また、中枠１２の前面側であって前枠１４の下部には、上皿１５から溢れ出た遊技球を貯留する下皿１６が装着されているとともに、下皿１６の右方には、遊技球を遊技盤１３に発射させる際に遊技者によって回動操作される遊技球発射用の発射ハンドル１７が装着されている。また、パチンコ遊技機１０には、発光演出を行う電飾表示部（装飾ランプ）１８と、各種音声を出力して音声演出を行う複数のスピーカ１９が配置されている。
【００１３】
遊技盤１３のほぼ中央には、各種の表示装置や各種の飾りを施した表示枠体（センター役物）２１が装着されている。表示枠体２１の略中央には、正面視横長矩形に開口するセット口２１ａが形成されており、当該セット口２１ａに整合して表示枠体２１には、液晶ディスプレイ型の画像表示部ＧＨを有する表示手段としての演出表示装置２２が装着されている。演出表示装置２２には、複数列（本実施形態では３列）の図柄列を変動させて行う図柄変動ゲームを含み、該ゲームに関連して実行される各種の表示演出（遊技演出）が画像表示されるようになっている。本実施形態において演出表示装置２２の図柄変動ゲームでは、複数列（本実施形態では３列）の図柄からなる図柄組み合わせを導出する。なお、演出表示装置２２の図柄変動ゲームは、表示演出を多様化するための飾り図柄（演出図柄）を用いて行われる。
【００１４】
また、表示枠体２１の左下の遊技領域には、７セグメント型の特別図柄表示装置２３が設けられている。特別図柄表示装置２３では、複数種類の特別図柄を変動させて表示する図柄変動ゲームが行われる。特別図柄は、大当りか否かの内部抽選（大当り抽選）の結果を示す報知用の図柄である。
【００１５】
そして、特別図柄表示装置２３では、図柄変動ゲームの開始により同時に特別図柄の変動表示が開始され、該ゲームの終了と同時に特別図柄が確定停止表示される。また、演出表示装置２２では、図柄変動ゲームの開始により同時に飾り図柄の変動表示が開始され、該ゲーム終了前に飾り図柄が一旦停止表示され、該ゲームの終了と同時に各列の飾り図柄が確定停止表示される。「変動表示」とは、図柄を表示する表示装置に定める表示領域内において表示される図柄の種類が変化している状態であり、「一旦停止表示」とは、前記表示領域内において図柄がゆれ変動状態で表示されている状態である。また、「確定停止表示」とは、前記表示領域内において図柄が確定停止している状態である。なお、特別図柄表示装置２３と演出表示装置２２では、同時に図柄変動ゲームと図柄変動ゲームに係わる表示演出が開始され、同時に終了する（すなわち、同時に特別図柄と飾り図柄が確定停止表示される）。
【００１６】
本実施形態において特別図柄表示装置２３には、複数種類の特別図柄の中から、大当り抽選の抽選結果（大当り又ははずれ）に対応する１つの特別図柄が選択され、その選択された特別図柄が図柄変動ゲームの終了によって確定停止表示される。本実施形態における複数種類の特別図柄は、大当りを認識し得る大当り図柄と、はずれを認識し得るはずれ図柄とに分類される。また、大当り図柄が表示された場合、遊技者には、大当り遊技が付与される。
【００１７】
また、本実施形態において演出表示装置２２には、各列毎に［１］〜［７］の７種類の数字が飾り図柄として表示されるようになっている。そして、本実施形態においては、演出表示装置２２の表示領域（画像表示面）を特別図柄表示装置２３の表示領域よりも遥かに大きく形成し、演出表示装置２２を遊技者の正面に目立つように配置している。このため、遊技者は、特別図柄表示装置２３よりも自身の目の前で多彩な画像によって表示演出（リーチ演出や予告演出）が行われる演出表示装置２２の表示内容に注目し、該演出表示装置２２の図柄変動ゲームで導出されて確定停止表示される図柄組み合わせから大当り又ははずれを認識することになる。演出表示装置２２に停止表示された全列の図柄が同一図柄の場合には、その図柄組み合わせ（［２２２］［７７７］など）から大当り遊技が付与される大当りを認識できる。この大当りを認識できる図柄組み合わせが飾り図柄による大当りの図柄組み合わせ（大当り表示結果）となる。大当りの図柄組み合わせが確定停止表示されると、遊技者には、図柄変動ゲームの終了後に大当り遊技が付与される。一方、演出表示装置２２に確定停止表示された全列の図柄が異なる種類の場合、又は１列の図柄が他の２列の図柄とは異なる種類の場合には、その図柄組み合わせ（［１２２］［７６７］など）からはずれを認識できる。このはずれを認識できる図柄組み合わせが飾り図柄によるはずれの図柄組み合わせ（はずれ表示結果）となる。
【００１８】
また、本実施形態において、演出表示装置２２における各列は、図柄変動ゲームが開始すると、予め定めた変動方向（縦スクロール方向）に沿って飾り図柄が変動表示されるようになっている。そして、図柄変動ゲームが開始すると（各列の飾り図柄が変動を開始すると）、演出表示装置２２において遊技者側から見て左列（左図柄）→右列（右図柄）→中列（中図柄）の順に飾り図柄が一旦停止表示されるようになっている。そして、一旦停止表示された左図柄と右図柄が同一図柄の場合には、その図柄組み合わせ（［１↓１］など、「↓」は変動中を示す）からリーチ状態を認識できる。リーチ状態は、複数列のうち、特定列（本実施形態では左列と右列）の飾り図柄が同一図柄となって一旦停止表示され、かつ前記特定列以外の列（本実施形態では中列）の飾り図柄が変動表示されている状態である。このリーチ状態を認識できる図柄組み合わせが飾り図柄によるリーチの図柄組み合わせとなる。
【００１９】
なお、本実施形態において、リーチ形成前の段階では、全列共通して、…１→２→３→４→５→６→７→１…というように順番に数字が大きくなっていき、７となった場合には１に戻るような順番で変動するようになっている。本実施形態では、各列において前述したような順番で図柄が表示される際の順序を、表示順序として定義している。そして、このような表示順序において「表示順序が前」とは、図柄［１］を先頭とするとともに、図柄［１］〜［７］を１つの変動周期と考えると、［１］が、各列において所定の図柄表示位置に表示された１つの図柄組み合わせが有効となる有効ラインＬ１上に（図４（ａ）に示す）表示されている場合、［２］〜［７］は、表示順序が後となる。一方、［２］が有効ラインＬ１上に表示されている場合、［１］は、［２］が表示されるよりも前に既に表示されているものとみなし、［１］は、表示順序が前となる一方、［３］〜［７］は、表示順序が後となる。
【００２０】
また、［３］が有効ラインＬ１上に表示されている場合、［１］［２］は、［３］が表示されるよりも前に既に表示されているものとみなし、［１］［２］は、表示順序が前となる一方、［４］〜［７］は、表示順序が後となる。また、［４］が有効ラインＬ１上に表示されている場合、［１］〜［３］は、［４］が表示されるよりも前に既に表示されているものとみなし、［１］〜［３］は、表示順序が前となる一方、［５］〜［７］は、表示順序が後となる。
【００２１】
一方、［５］が有効ラインＬ１上に表示されている場合、［１］〜［４］は、［５］が表示されるよりも前に既に表示されているものとみなし、［１］〜［４］は、表示順序が前となる一方、［６］［７］は、表示順序が後となる。また、［６］が有効ラインＬ１上に表示されている場合、［１］〜［５］は、［６］が表示されるよりも前に既に表示されているものとみなし、［１］〜［５］は、表示順序が前となる一方、［７］は、表示順序が後となる。また、［７］が有効ラインＬ１上に表示されている場合、［１］〜［６］は、表示順序が前となる。
【００２２】
また、演出表示装置２２には、特別図柄表示装置２３の表示結果に応じた図柄組み合わせが表示されるようになっている。特別図柄表示装置２３に表示される特別図柄と、演出表示装置２２に表示される飾り図柄による図柄組み合わせが対応されており、図柄変動ゲームが終了すると、特別図柄と飾り図柄による図柄組み合わせが対応して確定停止表示されるようになっている。例えば、特別図柄表示装置２３に大当り図柄が確定停止表示される場合には、演出表示装置２２にも［２２２］や［４４４］などの大当りの図柄組み合わせが確定停止表示されるようになっている。また、特別図柄表示装置２３にはずれ図柄が確定停止表示される場合には、演出表示装置２２にも［１２１］や［３４５］などのはずれの図柄組み合わせが確定停止表示されるようになっている。なお、特別図柄に対する飾り図柄の図柄組み合わせは一対一とは限らず、１つの特別図柄に対して複数の飾り図柄による図柄組み合わせの中から１つの飾り図柄による図柄組み合わせが選択されるようになっている。以上のように、本実施形態の演出表示装置２２では、図柄変動ゲームに係わる表示演出（３列の図柄を変動表示させて図柄の組み合わせを表示させる図柄変動ゲーム）が行われるようになっている。
【００２３】
図１の説明に戻り、表示枠体２１の左下の遊技領域であって、特別図柄表示装置２３の左下方には、複数個（本実施形態では４個）の特別図柄保留発光部を備えた特別図柄保留記憶表示装置Ｒａが設けられている。そして、特別図柄保留記憶表示装置Ｒａは、機内部で記憶した特別図柄用の始動保留球の記憶数（以下、「特図始動保留記憶数」と示す）を遊技者に報知する。本実施形態のパチンコ遊技機１０は、表示枠体２１の下方に配置される始動入賞口２５へ遊技球が入球した場合、その入球した遊技球を始動保留球として記憶し、その始動保留球の個数を特図始動保留記憶数として機内部（主制御基板３５の主制御用ＲＡＭ３５ｃ）で記憶するようになっている。特図始動保留記憶数は、保留中（図柄変動ゲーム待機中）の図柄変動ゲームの回数を示している。特図始動保留記憶数は、前記始動入賞口２５に遊技球が入球することで１加算され、図柄変動ゲームの開始により１減算される。したがって、図柄変動ゲーム中に始動入賞口２５へ遊技球が入球すると、特図始動保留記憶数は更に加算され、所定の上限数（本実施形態では４個）まで累積されるようになっている。そして、特別図柄保留記憶表示装置Ｒａは、特別図柄保留発光部の点灯個数により保留中の図柄変動ゲームの回数（始動保留球の個数）を遊技者に報知する構成となっている。
【００２４】
また、表示枠体２１の下方の遊技領域には、遊技球の入球口２５ａを有する始動入賞口２５が配置されている。始動入賞口２５の奥方には、入球した遊技球を検知する始動口スイッチＳＷ１（図２に示す）が配設されている。始動入賞口２５は、入球した遊技球を検知することにより、図柄変動ゲームの始動条件と予め定めた個数の賞球としての遊技球の払出条件を付与し得る。
【００２５】
また、始動入賞口２５の下方の遊技領域には、図示しないアクチュエータ（ソレノイド、モータなど）の作動により開閉動作を行う大入賞口扉２６を備えた大入賞口（特別電動役物）２７が配設されている。大入賞口２７の奥方には、入球した遊技球を検知するカウントスイッチＳＷ２（図２に示す）が配設されている。大入賞口２７は、入球した遊技球を検知することにより、予め定めた個数の賞球としての遊技球の払出条件を付与し得る。そして、大当り遊技が付与されると、大入賞口扉２６の開動作によって大入賞口２７が開放されて遊技球の入球が許容されるため、遊技者は、賞球を獲得できるチャンスを得ることができる。そして、この大当り遊技は、内部抽選で大当りを決定し、図柄変動ゲームにて大当り図柄が確定停止表示されることを契機に付与される。大当り遊技が開始すると、最初に大当り遊技の開始を示すオープニング演出が行われる。オープニング演出終了後には、大入賞口扉２６の開動作により大入賞口２７が開放されるラウンド遊技が予め定めた規定ラウンド数を上限（本実施形態では、１５回）として複数回行われる。１回のラウンド遊技は、ラウンド遊技が開始してから予め定めたラウンド遊技時間が経過する、又は予め定めた入球上限個数の遊技球が入球するの何れか早く成立した方の条件を満たすことにより終了する。そして、大当り遊技は、規定ラウンド数のラウンド遊技の終了後に大当り遊技の終了を示すエンディング演出が行われて終了する。
【００２６】
また、遊技盤１３の遊技領域の最下方（大入賞口２７よりも下方）には、遊技領域に発射された後、何れの入賞口にも入球しなかった遊技球をアウト球として機外に排出するためのアウト球口２８が形成されている。アウト球口２８を通過した遊技球は、パチンコ遊技機１０の設置設備（遊技島）に配設されたアウト球タンク（図示しない）に排出される。
【００２７】
そして、本実施形態のパチンコ遊技機１０では、図柄変動ゲームで所定の演出を出現させることを課題（ミッション）として遊技者に提示し、その提示した演出の出現によって大当り図柄を導出する課題付与演出（ミッション演出）を実行可能に構成されている。ミッション演出は、通常、大当り抽選に当選した時に、遊技者に提示するミッションに合致する演出を出現させるように図柄変動ゲームの演出内容を決定することで行われる。このため、ミッション演出は、遊技者の見た目上、提示されたミッションに合致する演出が図柄変動ゲームで出現するので、当該ミッションの達成によって大当りを得られたかのような演出表現となる。なお、ミッション演出の開始条件及び終了条件や、遊技者に提示されるミッション内容などのミッション演出に係る具体的な制御内容は後述する。
【００２８】
次に、パチンコ遊技機１０の制御構成について図２に基づき説明する。
パチンコ遊技機１０の機裏側には、パチンコ遊技機１０全体を制御する主制御基板３５が装着されている。主制御基板３５は、パチンコ遊技機１０全体を制御するための各種処理を実行し、該処理結果に応じて遊技を制御するための各種の制御指令としての制御信号（制御コマンド）を演算処理し、該制御信号（制御コマンド）を出力する。また、機裏側には、サブ統括制御基板３６と、演出表示制御基板３７と、音声・ランプ制御基板３８が装着されている。
【００２９】
サブ統括制御基板３６は、主制御基板３５が出力した制御信号（制御コマンド）に基づき、演出表示制御基板３７及び音声・ランプ制御基板３８を統括的に制御する。演出表示制御基板３７は、主制御基板３５とサブ統括制御基板３６が出力した制御信号（制御コマンド）に基づき、演出表示装置２２の表示態様（図柄、背景、文字などの表示画像など）を制御する。また、音声・ランプ制御基板３８は、電飾表示部１８の発光態様（点灯（点滅）／消灯のタイミングなど）及びスピーカ１９の音声出力態様（音声出力のタイミングなど）を制御する。
【００３０】
以下、主制御基板３５、サブ統括制御基板３６及び演出表示制御基板３７について、その具体的な構成を説明する。
主制御基板３５には、制御動作を所定の手順で実行することができる主制御用ＣＰＵ３５ａと、主制御用ＣＰＵ３５ａの制御プログラムを格納する主制御用ＲＯＭ３５ｂと、必要なデータの書き込み及び読み出しができる主制御用ＲＡＭ３５ｃが設けられている。主制御用ＣＰＵ３５ａには、主制御用ＲＯＭ３５ｂと主制御用ＲＡＭ３５ｃが接続されている。また、主制御用ＣＰＵ３５ａには、始動入賞口２５に入球した遊技球を検知する始動口スイッチＳＷ１と、大入賞口２７に入球した遊技球を検知するカウントスイッチＳＷ２と、特別図柄表示装置２３と、特別図柄保留記憶表示装置Ｒａが接続されている。
【００３１】
また、主制御用ＣＰＵ３５ａは、大当り判定用乱数、リーチ判定用乱数、特図振分用乱数や変動パターン振分用乱数などの各種乱数の値を所定の周期毎に更新する乱数更新処理（乱数生成処理）を実行する。大当り判定用乱数は、大当りか否かの大当り抽選（大当り判定）で用いる乱数である。リーチ判定用乱数は、大当り抽選で大当りに当選しなかった場合、すなわちはずれの場合に、リーチか否かのリーチ抽選（リーチ判定）で用いる乱数である。特図振分用乱数は、大当り図柄を決定する際に用いる乱数である。変動パターン振分用乱数は、変動パターンを選択する際に用いる乱数である。また、主制御用ＣＰＵ３５ａはタイマ機能を搭載しており、所定のタイミング（例えば、図柄変動ゲームを開始するタイミング）で時間を計測する。また、主制御用ＲＡＭ３５ｃには、パチンコ遊技機１０の動作中に適宜書き換えられる各種情報（乱数値、タイマ値、フラグなど）が記憶（設定）されるようになっている。
【００３２】
主制御用ＲＯＭ３５ｂには、パチンコ遊技機１０全体を制御するためのメイン制御プログラムが記憶されている。また、主制御用ＲＯＭ３５ｂには、メイン制御プログラムに加え、複数種類の変動パターンが記憶されている。変動パターンは、演出表示装置２２及び特別図柄表示装置２３において図柄の変動開始による図柄変動ゲームが開始してから、演出表示装置２２及び特別図柄表示装置２３において図柄が確定停止表示されて図柄変動ゲームが終了するまでの間の遊技演出（表示演出、発光演出、音声演出）のベースとなるパターンを示すものである。すなわち、変動パターンは、特別図柄が変動開始してから特別図柄が確定停止表示されるまでの間の図柄変動ゲームの演出内容及び演出時間（変動時間）を特定することができる。そして、変動パターンは、大当り演出用、はずれリーチ演出用及びはずれ演出用からなる変動内容毎に分類されている。
【００３３】
大当り演出用の変動パターンに基づき行われる大当り演出は、図柄変動ゲームが、リーチ演出を経て、最終的に大当りの図柄組み合わせを確定停止表示させるように展開される演出である。また、はずれリーチ演出用の変動パターンに基づき行われるはずれリーチ演出は、図柄変動ゲームが、リーチ演出を経て、最終的にはずれの図柄組み合わせを確定停止表示させるように展開される演出である。また、はずれ演出用の変動パターンに基づき行われるはずれ演出は、図柄変動ゲームが、リーチ演出を経ることなく最終的にはずれの図柄組み合わせを確定停止表示させるように展開される演出である。リーチ演出は、演出表示装置２２の飾り図柄による図柄変動ゲームにおいて、リーチの図柄組み合わせが形成されてから、最終的に図柄組み合わせ（大当りの図柄組み合わせ又ははずれの図柄組み合わせ）が導出される迄の間に行われる演出である。また、特別図柄表示装置２３では、図柄変動ゲームが開始されると、リーチ演出を行うことなく、変動時間の経過時まで図柄の変動が継続される。また、はずれ演出用の変動パターンに基づき行われるはずれ演出は、図柄変動ゲームの開始後、各列の図柄を予め定めた変動停止順序（例えば、左列→右列→中列）にしたがって変動を停止させて各列に図柄を導出させる演出である。
【００３４】
以下、本実施形態のパチンコ遊技機１０に設定されている変動パターンの一例を図３に示す。
変動パターンＰ１は、はずれ演出用の変動パターンであり、変動内容として「通常変動」を特定している。なお、「通常変動」は、図柄変動ゲームの開始後、各列の図柄を予め定めた変動停止順序（例えば、左列→右列→中列）にしたがって変動を停止させて各列に図柄を導出させるはずれ演出である。変動パターンＰ２，Ｐ３は、変動内容として「ライン増加なしリーチ」を特定している。なお、「ライン増加なしリーチ」とは、各列において所定の図柄表示位置に表示された１つの図柄組み合わせが有効となる有効ライン上にリーチの図柄組み合わせが表示されることによって形成されるリーチライン（リーチを形成する数）の本数が１本（第１本数）から増加しない、つまり、変化しない内容を指す。また、変動パターンＰ２は、最終的にはずれ図柄を確定停止表示させるはずれリーチ演出用の変動パターンである一方、変動パターンＰ３は、最終的に大当り図柄を確定停止表示させる大当り演出用の変動パターンである。
【００３５】
そして、変動パターンＰ２，Ｐ３に基づく図柄変動ゲームでは、図４（ａ）に示すように、演出表示装置２２において、前述した表示順序（…１→２→３→…というように順番に数字が大きくなっていく順序）で全列が変動する。そして、所定時間経過後に、演出表示装置２２の中央において横方向へ直線的に延びる有効ラインＬ１上に位置する左列と右列に同一図柄が導出されて、リーチ状態（リーチ形成図柄）が表示された有効ラインＬ１によって１本のリーチラインが形成される（図４（ｂ））。その後、所定時間経過後に中列の図柄が導出されることにより、最終的な図柄組み合わせが形成されることになる（図４（ｆ））。
【００３６】
また、変動パターンＰ４，Ｐ５は、変動内容として「ライン増加（２本）リーチ」を特定している。なお、「ライン増加（２本）リーチ」とは、リーチ形成後、リーチラインの本数が１本から２本に増加する内容を指す。また、変動パターンＰ４は、最終的にはずれ図柄を確定停止表示させるはずれリーチ演出用の変動パターンである一方、変動パターンＰ５は、最終的に大当り図柄を確定停止表示させる大当り演出用の変動パターンである。
【００３７】
そして、変動パターンＰ４，Ｐ５に基づく図柄変動ゲームでは、図４（ａ）に示すように、演出表示装置２２において、前述した表示順序で全列が変動し、所定時間経過後に有効ラインＬ１上に位置する左列と右列に同一図柄が導出されて、リーチ状態が表示された有効ラインＬ１によって１本のリーチラインが形成される（図４（ｂ））。その後、所定のキャラクタを題材としたリーチ演出に移行した後、所定時間の経過後に、リーチラインの本数が、１本から２本に増加する。なお、リーチライン増加後のリーチ形成図柄は、リーチライン増加前のリーチ形成図柄を基準として表示順序が連続する図柄とされている。また、複数のリーチラインを形成する図柄は、リーチライン毎に異なる図柄とされている。図４（ｃ）に示す例では、各リーチラインのリーチ形成図柄は、［１］及び［２］となる。ちなみに、リーチラインの増加態様を説明すると、リーチライン増加前のリーチ形成図柄（この例では［２］）が、右上がりの斜め方向へ直線的に延びるように形成された有効ラインＬ２上に移動する。その後、左列及び右列において、［２］を基準として、右下がりの斜め方向へ直線的に延びるように形成された有効ラインＬ３上にリーチ形成図柄（この例では［１］）が展開される。つまり、中列及び右列における図柄の表示順序は、リーチライン増加前と同一の表示順序となっているが、左列における図柄の表示順序は、リーチライン増加前と逆の表示順序（…７→６→５→…というように順番に数字が小さくなっていく順序）となっている。
【００３８】
そして、はずれリーチ演出用の変動パターンＰ４からは、リーチラインの本数が増加した後、有効ラインＬ２上にリーチ状態を認識可能なはずれの図柄組み合わせ（以下、はずれリーチの図柄組み合わせと示す）を導出させる演出内容が特定されるようになっている。その後、所定時間経過後にリーチラインが１本に戻り、有効ラインＬ２上に導出された図柄組み合わせが有効ラインＬ１上に確定停止表示される（図４（ｅ））。同様に、大当り演出用の変動パターンＰ５からは、リーチラインの本数が増加した後、有効ラインＬ２又は有効ラインＬ３上に大当りの図柄組み合わせを導出させる演出内容が特定されるようになっている。その後、所定時間経過後にリーチラインが１本に戻り、有効ラインＬ２又は有効ラインＬ３上に導出された図柄組み合わせが有効ラインＬ１上に確定停止表示される（図示せず）。
【００３９】
また、変動パターンＰ６，Ｐ７は、変動内容として「ライン増加（３本）リーチ」を特定している。なお、「ライン増加（３本）リーチ」とは、リーチ形成後、リーチラインの本数が１本から３本に増加する内容を指す。また、変動パターンＰ６は、最終的にはずれ図柄を確定停止表示させるはずれリーチ演出用の変動パターンである一方、変動パターンＰ７は、最終的に大当り図柄を確定停止表示させる大当り演出用の変動パターンである。
【００４０】
そして、変動パターンＰ６，Ｐ７に基づく図柄変動ゲームでは、前述したように図４（ａ）及び図４（ｂ）の流れで演出が展開され、所定時間の経過後に、リーチラインの本数が、１本から３本に増加する。図４（ｄ）に示す例では、各リーチラインのリーチ形成図柄は、［７］、［１］、及び［２］となる。ちなみに、リーチラインの増加態様を説明すると、リーチライン増加前のリーチ形成図柄（この例では［２］）が有効ラインＬ２上に移動した後、左列及び右列において、［２］を基準として有効ラインＬ１上にリーチ形成図柄（この例では［１］）が展開される。それとともに、［２］を基準として有効ラインＬ３上にリーチ形成図柄（この例では［７］）が展開される。つまり、変動パターンＰ６，Ｐ７に基づく図柄変動ゲームにおいても、変動パターンＰ４，Ｐ５に基づく図柄変動ゲームと同じく、中列及び右列における図柄の表示順序は、リーチライン増加前と同一の表示順序となっているが、左列における図柄の表示順序は、リーチライン増加前と逆の表示順序となっている。
【００４１】
そして、はずれリーチ演出用の変動パターンＰ６からは、リーチラインの本数が増加した後、有効ラインＬ２上にはずれリーチの図柄組み合わせを導出させる演出内容が特定されるようになっている。その後、所定時間経過後にリーチラインが１本に戻り、有効ラインＬ２上に導出された図柄組み合わせが有効ラインＬ１上に確定停止表示される（図４（ｆ））。同様に、大当り演出用の変動パターンＰ７からは、リーチラインの本数が増加した後、有効ラインＬ１〜Ｌ３のいずれかに大当りの図柄組み合わせを導出させる演出内容が特定されるようになっている。その後、所定時間経過後にリーチラインが１本に戻り、有効ラインＬ１〜Ｌ３上のいずれかに導出された図柄組み合わせが有効ラインＬ１上に確定停止表示される（図示せず）。なお、前述したリーチラインの増加方向、つまり、リーチラインを増加させる図柄の展開方向は、どの変動パターンが選択された場合であっても、一定方向として定められている。
【００４２】
以下、リーチラインの位置と変動時間との関連性を説明するために、変動パターンＰ４〜Ｐ７に基づく図柄変動ゲームの演出態様を説明する。なお、本実施形態では、リーチライン増加後、中列及び右列では、…→１→２→３→４→５→６→７→１…というように順番に数字が大きくなっていき、７となった場合には１に戻るような順番で変動するようになっている。
【００４３】
図４において、変動パターンＰ４，Ｐ５に基づく図柄変動ゲームでは、中列の中段に［１］が導出された後、恰も有効ラインＬ３上に［１］が停止表示されるような煽り演出が行われた後、［１］が中列の下段にスクロールされ、代わりに中列の中段に［２］が導出される。そして、変動パターンＰ４に基づく図柄変動ゲームでは、有効ラインＬ２上に［２］が停止表示されるかのような煽り演出が行われた後、［２］が中列の下段にスクロールされ、代わりに中列の中段に［３］が導出される（２３２）。一方、変動パターンＰ５に基づく図柄変動ゲームでは、有効ラインＬ３上に［１］が停止表示される場合と、有効ラインＬ２上に［２］が停止表示される場合とがある。
【００４４】
同様に、変動パターンＰ６，Ｐ７に基づく図柄変動ゲームでは、中列の中段に［７］が導出された後、恰も有効ラインＬ３上に［７］が停止表示されるような煽り演出が行われた後、［７］が中列の下段にスクロールされ、代わりに中列の中段に［１］が導出される。その後、恰も有効ラインＬ１上に［１］が停止表示されるような煽り演出が行われた後、［１］が中列の下段にスクロールされ、代わりに中列の中段に［２］が導出される。そして、変動パターンＰ６に基づく図柄変動ゲームでは、有効ラインＬ２上に［２］が停止表示されるかのような煽り演出が行われた後、［２］が中列の下段にスクロールされ、代わりに中列の中段に［３］が導出される（２３２）。一方、変動パターンＰ７に基づく図柄変動ゲームでは、有効ラインＬ３上に［７］が停止表示される場合と、有効ラインＬ１上に［１］が停止表示される場合と、有効ラインＬ２上に［２］が停止表示される場合とがある。
【００４５】
このような演出態様により、変動パターンＰ４，Ｐ５よりも変動パターンＰ６，Ｐ７の方が煽り演出の実行回数が多い分、変動時間が長く設定されている。そして、変動パターンＰ４〜Ｐ７に基づく図柄変動ゲームでは、必ず有効ラインＬ２上にリーチライン増加前のリーチ形成図柄による図柄組み合わせが導出されるようになっている。
【００４６】
本実施形態では、変動パターンＰ２，Ｐ３に基づく図柄変動ゲームの演出内容が、通常演出となる一方で、変動パターンＰ４〜Ｐ７に基づく図柄変動ゲームの演出内容が、特定演出となる。また、１本のリーチラインが形成されるまでの内容が、第１リーチ演出となる一方で、リーチラインの本数が１本から２本（又は３本）に増加する内容が、第２リーチ演出となる。
【００４７】
また、主制御用ＲＯＭ３５ｂには、大当り判定値が記憶されている。大当り判定値は、大当りか否かの大当り抽選（大当り判定）で用いる判定値であり、大当り判定用乱数の取り得る数値（０〜１４７０までの全１４７１通りの整数）の中から定められている。
【００４８】
また、主制御用ＲＯＭ３５ｂには、リーチ判定値が記憶されている。リーチ判定値は、はずれを決定する場合にリーチか否かの内部抽選（リーチ判定）で用いる判定値であり、リーチ判定用乱数の取り得る数値（０〜２４０までの全２４１通りの整数）の中から定められている。
【００４９】
次に、サブ統括制御基板３６について説明する。
サブ統括制御基板３６には、制御動作を所定の手順で実行することができる統括制御用ＣＰＵ３６ａと、統括制御用ＣＰＵ３６ａの統括制御プログラムを格納する統括制御用ＲＯＭ３６ｂと、必要なデータの書き込み及び読み出しができる統括制御用ＲＡＭ３６ｃが設けられている。統括制御用ＣＰＵ３６ａには、統括制御用ＲＯＭ３６ｂと統括制御用ＲＡＭ３６ｃが接続されている。そして、統括制御用ＣＰＵ３６ａはタイマ機能を搭載しており、所定のタイミング（例えば、図柄変動ゲームを開始するタイミング）で時間を計測する。また、統括制御用ＲＯＭ３６ｂには、統括制御プログラムに加え、各種演出を決定する際に参照する各種テーブルが記憶されている。
【００５０】
次に、演出表示制御基板３７について説明する。
演出表示制御基板３７には、制御動作を所定の手順で実行することができる表示制御用ＣＰＵ３７ａと、表示制御用ＣＰＵ３７ａの制御プログラムを格納する表示制御用ＲＯＭ３７ｂと、必要なデータの書き込み及び読み出しができる表示制御用ＲＡＭ３７ｃが設けられている。表示制御用ＣＰＵ３７ａには、演出表示装置２２が接続されている。また、本実施形態の表示制御用ＣＰＵ３７ａはタイマ機能を搭載しており、所定のタイミング（例えば、図柄変動ゲームを開始するタイミング）で時間を計測する。また、表示制御用ＲＯＭ３７ｂには、各種の画像データ（図柄、背景、文字、キャラクタなどの画像データ）が記憶されている。
【００５１】
以下、主制御基板３５、サブ統括制御基板３６及び演出表示制御基板３７が実行する制御内容を説明する。
主制御基板３５の主制御用ＣＰＵ３５ａは、始動入賞口２５へ遊技球が入球し、該遊技球を検知した始動口スイッチＳＷ１が出力する検知信号を入力すると、主制御用ＲＡＭ３５ｃに記憶されている特図始動保留記憶数が上限数（本実施形態では４）未満であるか否かの保留判定を行う。保留判定の判定結果が肯定（特図始動保留記憶数＜４）の場合、主制御用ＣＰＵ３５ａは、特図始動保留記憶数特別図柄用の保留記憶数を＋１（１加算）し、特図始動保留記憶数を書き換える。また、主制御用ＣＰＵ３５ａは、１加算後の特図始動保留記憶数を表すように特別図柄保留記憶表示装置Ｒａの表示内容を変更させる。また、主制御用ＣＰＵ３５ａは、保留判定を肯定判定している場合、大当り判定用乱数の値、リーチ判定用乱数の値、特図振分用乱数の値、及び変動パターン振分用乱数の値を主制御用ＲＡＭ３５ｃから読み出して取得し、該値を特図始動保留記憶数に対応付けられた主制御用ＲＡＭ３５ｃの所定の記憶領域に設定する。なお、主制御用ＣＰＵ３５ａは、保留判定の判定結果が否定（特図始動保留記憶数＝４）の場合、上限数を超える特図始動保留記憶数の書き換えを行わないとともに、大当り判定用乱数の値、リーチ判定用乱数の値、特図振分用乱数の値、及び変動パターン振分用乱数の値も取得しない。
【００５２】
そして、主制御用ＣＰＵ３５ａは、図柄（特別図柄及び飾り図柄）が変動表示中ではなく、大当り遊技中ではないときに、特図始動保留記憶数が「０」よりも大きいか否か判定する。そして、この判定結果が肯定の場合、主制御用ＣＰＵ３５ａは、特図始動保留記憶数を−１（１減算）し、特図始動保留記憶数を書き換える。そして、主制御用ＣＰＵ３５ａは、当該特図始動保留記憶数に対応付けられて主制御用ＲＡＭ３５ｃの所定の記憶領域に記憶されている大当り判定用乱数、リーチ判定用乱数、特図振分用乱数、及び変動パターン振分用乱数の各値を取得する。また、主制御用ＣＰＵ３５ａは、１減算後の特図始動保留記憶数を表すように特別図柄保留記憶表示装置Ｒａの表示内容を変更させる。
【００５３】
次に、主制御用ＣＰＵ３５ａは、取得した大当り判定用乱数の値が主制御用ＲＯＭ３５ｂに記憶されている大当り判定値と一致するか否かを判定して大当り判定（大当り抽選）を行う。大当り判定の判定結果が肯定（大当り判定用乱数の値と大当り判定値とが一致）の場合、主制御用ＣＰＵ３５ａは、大当りを決定する。大当りを決定した主制御用ＣＰＵ３５ａは、主制御用ＲＡＭ３５ｃの所定の記憶領域に格納した特図振分用乱数の値を読み出し、該値に基づいて特別図柄による大当り図柄の中から特別図柄表示装置２３に確定停止表示させる最終停止図柄を決定する。その後、主制御用ＣＰＵ３５ａは、決定した最終停止図柄から大当り遊技の種類を特定するとともに、変動パターン振分用乱数の値を主制御用ＣＰＵ３５ａから取得し、その取得した値をもとに、大当り演出用の変動パターンを選択し、決定する。
【００５４】
また、主制御用ＣＰＵ３５ａは、大当り判定の判定結果が否定（大当り判定用乱数の値と大当り判定値とが不一致）の場合、はずれを決定する。そして、主制御用ＣＰＵ３５ａは、特別図柄表示装置２３で行われる図柄変動ゲームで確定停止表示させる特別図柄としてはずれ図柄を決定する。また、はずれを決定した主制御用ＣＰＵ３５ａは、リーチを形成させるか否かを判定するリーチ判定を実行する。本実施形態では、主制御用ＣＰＵ３５ａは、主制御用ＲＡＭ３５ｃから取得したリーチ判定用乱数が、リーチ判定値に一致するか否かにより当選判定を行う。
【００５５】
そして、リーチ判定の判定結果が肯定（はずれリーチ演出を実行する）の場合、主制御用ＣＰＵ３５ａは、変動パターン振分用乱数の値を主制御用ＲＡＭ３５ｃから取得し、その取得した値をもとに、はずれリーチ演出用の変動パターンを選択し、決定する。一方、リーチ判定結果が否定（はずれリーチ演出を実行しない）の場合、主制御用ＣＰＵ３５ａは、変動パターン振分用乱数の値を主制御用ＲＡＭ３５ｃから取得し、その取得した値をもとに、はずれ演出用の変動パターンを選択し、決定する。
【００５６】
特別図柄及び変動パターンを決定した主制御用ＣＰＵ３５ａは、サブ統括制御基板３６（統括制御用ＣＰＵ３６ａ）に対し、出力処理にて所定の制御コマンドを所定のタイミングで出力する等、図柄変動ゲームに関する各種処理を実行する。具体的に言えば、主制御用ＣＰＵ３５ａは、決定された変動パターンを指定すると共に図柄変動の開始を指示する変動パターン指定コマンドを出力する。同時に、主制御用ＣＰＵ３５ａは、特別図柄を変動開始させるように特別図柄表示装置２３の表示内容を制御する。また、同時に、主制御用ＣＰＵ３５ａは、図柄変動ゲームの演出時間の計測を開始する。また、主制御用ＣＰＵ３５ａは、最終停止図柄を指定する特別図柄用の停止図柄指定コマンドを出力する。その後、特別図柄開始処理とは別の処理で、主制御用ＣＰＵ３５ａは、前記指定した変動パターンに定められている演出時間に基づいて、決定した最終停止図柄を表示させるように特別図柄表示装置２３の表示内容を制御する。また、主制御用ＣＰＵ３５ａは、前記指定した変動パターンに定められている演出時間に基づいて、飾り図柄の変動停止を指示し、図柄組み合わせを確定停止表示させるための図柄停止コマンドを出力する。
【００５７】
そして、主制御用ＣＰＵ３５ａは、大当りを決定した場合、決定した変動パターンに基づく図柄変動ゲームの終了後、最終停止図柄に基づき特定された種類の大当り遊技の制御を開始する。
【００５８】
本実施形態では、変動パターンを決定する主制御用ＣＰＵ３５ａが、演出内容決定手段として機能する。
次に、サブ統括制御基板３６の統括制御用ＣＰＵ３６ａが統括制御プログラムに基づき実行する各種処理について説明する。
【００５９】
サブ統括制御基板３６の統括制御用ＣＰＵ３６ａは、変動パターン指定コマンドを入力すると、該コマンドを演出表示制御基板３７及び音声・ランプ制御基板３８に出力する。また、統括制御用ＣＰＵ３６ａは、特別図柄用の停止図柄指定コマンドを入力すると、該コマンドに対応する特別図柄の停止図柄指定に応じて演出表示装置２２に確定停止表示させる飾り図柄を決定し、決定した飾り図柄を指示する飾り図柄用の停止図柄指定コマンドを演出表示制御基板３７に出力する。
【００６０】
具体的には、統括制御用ＣＰＵ３６ａは、特別図柄用の停止図柄指定コマンドで指定された停止図柄（特別図柄）が、大当り図柄の場合、飾り図柄の図柄組み合わせとして、大当りを認識し得る図柄組み合わせを決定する。
【００６１】
また、統括制御用ＣＰＵ３６ａは、停止図柄（特別図柄）が、はずれ図柄の場合、はずれを認識し得る図柄組み合わせを決定する。このとき、統括制御用ＣＰＵ３６ａは、はずれリーチ演出用の変動パターンが指示されている場合、リーチの図柄組み合わせ（リーチ形成図柄）を含むはずれを認識し得る図柄組み合わせを決定する。一方、統括制御用ＣＰＵ３６ａは、はずれ演出用の変動パターンが指示されている場合、リーチの図柄組み合わせ（リーチ形成図柄）を含まないはずれを認識し得る図柄組み合わせを決定する。
【００６２】
なお、統括制御用ＣＰＵ３６ａは、変動パターンＰ４〜Ｐ７のうちいずれかを指定する変動パターン指定コマンドを入力した場合、有効ラインＬ２上に導出する飾り図柄の図柄組み合わせを決定する。本実施形態では、リーチライン増加後の各列における図柄の表示順序が予め設定されているので、１つのリーチライン上に導出する図柄組み合わせを決定すれば、その他のリーチライン上に表示される図柄も必然的に決定されることになる。そして、統括制御用ＣＰＵ３６ａは、有効ラインＬ２上に導出させる飾り図柄の図柄組み合わせを、リーチライン増加前のリーチ形成図柄として決定する。また、統括制御用ＣＰＵ３６ａは、図柄停止コマンドを入力すると、該コマンドを演出表示制御基板３７及び音声・ランプ制御基板３８に出力する。
【００６３】
次に、演出表示制御基板３７の表示制御用ＣＰＵ３７ａが表示制御プログラムに基づき実行する各種処理について説明する。
演出表示制御基板３７の表示制御用ＣＰＵ３７ａは、変動パターン指定コマンドを入力すると、当該コマンドに指示される変動パターンに対応する演出内容（変動内容）をもとに、画像表示用データを選択する。表示制御用ＣＰＵ３７ａは、画像表示用データをもとに図柄変動ゲームを画像表示させるように演出表示装置２２の表示内容を制御する。そして、表示制御用ＣＰＵ３７ａは、図柄変動ゲーム中に図柄停止コマンドを入力すると、飾り図柄用の停止図柄指定コマンドで指示された飾り図柄を演出表示装置２２に確定停止表示させるように表示内容を制御し、図柄変動ゲームを終了させる。そして、表示制御用ＣＰＵ３７ａは、図柄変動ゲームの開始からの経過時間を計時し、その計時した時間と表示用データをもとに演出表示装置２２に映し出す画像を所定の制御周期毎（例えば、４ｍｓ毎）に切り替える。
【００６４】
次に、統括制御用ＣＰＵ３６ａが実行するミッション演出に係る制御内容を説明する。
本実施形態においてミッション演出は、はずれリーチ演出用及びはずれ演出用の変動パターンのうち特定の変動パターンに基づく図柄変動ゲームの終了を開始契機として、その次からの図柄変動ゲームを対象として開始されるようになっている。また、本実施形態においてミッション演出は、複数回の図柄変動ゲーム（例えば１０回）を対象に展開されるが、図柄変動ゲーム毎にミッション（課題）が変更されるようになっている。また、統括制御用ＣＰＵ３６ａは、ミッション演出を開始させてミッション（課題）を提示してから実行された図柄変動ゲームが予め定めた提示回数（例えば「１０回」）に達すると、以後（１０回目以後）の図柄変動ゲームの開始毎に、終了契機の到来とするか否かの終了抽選を実行するようになっている。なお、統括制御用ＣＰＵ３６ａは、はずれリーチ演出用及びはずれ演出用の変動パターンに基づく図柄変動ゲームである条件下で、終了抽選を実行する。そして、統括制御用ＣＰＵ３６ａは、終了抽選で転落の抽選結果とする場合に終了契機の到来としてミッション演出を終了させ、終了抽選で継続の抽選結果とする場合に終了契機の非到来としてミッション演出を継続させる。なお、統括制御用ＣＰＵ３６ａは、終了抽選で転落の抽選結果とする場合、今回の図柄変動ゲームの終了を以てミッション演出を終了させる。終了抽選では、「転落」及び「継続」を決定する確率を所定の確率となるように乱数を振分けて乱数抽選が実行される。
【００６５】
そして、本実施形態では、「「○（１〜７の図柄）」でリーチをかけろ！！」などのリーチ形成演出を提示する複数種類のミッション演出が用意されている。本実施形態では、飾り図柄として［１］〜［７］までの７種類の飾り図柄が用いられている。このため、リーチ形成演出で提示する内容（以下、課題図柄と示す場合がある）として、７種類の飾り図柄のうち１種類の飾り図柄でリーチが形成されることに伴って、「「１」でリーチをかけろ！！」などの７種類が用意されている。なお、ミッション演出は、図柄変動ゲーム開始後、左列の図柄が導出される迄に実行される。
【００６６】
そして、統括制御用ＣＰＵ３６ａは、ミッション演出の開始に際してミッションの内容を７種類の中から抽選により決定し、ミッション演出の開始契機となる図柄変動ゲームの終了に伴って決定したミッション（課題）によるミッション演出の開始を指示する演出指示コマンドを各制御基板３７，３８に出力する。そして、統括制御用ＣＰＵ３６ａは、はずれリーチ演出用の変動パターンＰ４，Ｐ６が選択された場合、増加後のリーチ形成図柄と同一でなく、かつ課題図柄の出現率が略均等となるように課題図柄を乱数抽選によって決定する。
【００６７】
例えば、図４（ｃ）を用いて説明すると、増加前リーチ図柄として「２」が決定されているので、課題図柄として「２」は対象外となる。また、増加後リーチ図柄として「１」が決定されているので、「１」も課題図柄として対象外となる。この場合、課題図柄として決定可能な図柄は、「３」〜「７」で示す５種類となる。同様に、増加前リーチ図柄として「３」、「４」、「５」、「６」、「７」、及び「１」が決定されている場合も、課題時柄として決定可能な図柄は、夫々５種類ずつとなる。また、図４（ｄ）を用いて説明すると、増加前リーチ図柄として「２」が決定されているので、課題図柄として「２」は対象外となる。また、増加後リーチ図柄として「１」及び「７」が決定されているので、「１」及び「７」も課題図柄として対象外となる。この場合、課題図柄として決定可能な図柄は、「３」〜「６」で示す４種類となる。同様に、増加前リーチ図柄として「３」、「４」、「５」、「６」、「７」、及び「１」が決定されている場合も、課題時柄として決定可能な図柄は、夫々４種類ずつとなる。
【００６８】
この場合、課題図柄とリーチ図柄の組み合わせは、（５×７）＋（４×７）＝６３（種類）となる。なお、リーチ図柄の種類に応じて選択可能な課題図柄の種類をパターン化して記憶しておくこともできるが、本実施形態では、リーチラインの増加数が２本又は３本であって、その増加本数が一定ではないため、同じ基準図柄が決定されている場合であっても、リーチラインの本数毎にそれぞれパターン化して記憶しておかなければならない。また、リーチラインの本数をさらに多くした変動パターンを設定したり、図柄の種類を増加させたりすると、さらに記憶させるべきパターン数が増加することになる。この場合、課題図柄をパターン化したデータを記憶させるためだけに、統括制御用ＲＯＭ３６ｂの記憶容量が使用されてしまうことになる。したがって、本実施形態では、リーチラインの本数や如何なる図柄でリーチが形成されるかにかかわらず、後述する演算処理によって、選択可能な複数種類の課題図柄の中から何れか１つの課題図柄を算出可能に構成している。
【００６９】
以下、リーチラインが増加する変動パターン（特に、変動パターンＰ４，Ｐ６）が選択された際の具体的な課題図柄の決定方法について図５及び図６に従って説明する。
なお、以下の説明では、リーチライン増加後のリーチ形成図柄を「増加後リーチ図柄」と示し、リーチライン増加前のリーチ形成図柄を「増加前リーチ図柄」と示す。また、図５及び図６において、「基準図柄」で示す項目に記載された図柄は、有効ラインＬ２上に導出されるリーチ図柄を示しており、括弧内の数字は、その図柄を特定する図柄番号を示している。また、「禁則基準図柄」で示す項目に記載された図柄は、有効ラインＬ３上に導出されるリーチ図柄を示しており、カッコ内の数字は、その図柄を特定する図柄番号を示している。なお、同一の行に位置付けられた基準図柄と禁則基準図柄は、リーチライン増加後に画像表示部ＧＨに導出される図柄を示しており、この同一の行に位置付けられた基準図柄と禁則基準図柄によって複数のリーチラインが形成されることを示している。また、図５及び図６において、「課題図柄」で示す項目の上段に記載されている「００Ｈ」〜「０４Ｈ」又は「００Ｈ」〜「０３Ｈ」は、課題図柄を仮決定するための図柄番号を示している。さらに、「課題図柄」で示す項目における２段目以降に記載された図柄は、ミッション演出で実際に提示される課題図柄を示しており、括弧内の数字は、その図柄を特定する図柄番号を示している。また、網掛け箇所は、再算出することによって得られた値を示している。
【００７０】
最初に、統括制御用ＣＰＵ３６ａは、ミッション演出を実行可能な期間中にはずれリーチ演出用の変動パターンＰ４（ライン増加数２本）を指定する変動パターン指定コマンドを入力したとすると、確定停止表示させる飾り図柄の図柄組み合わせに基づいて、増加前リーチ図柄を決定する。そして、統括制御用ＣＰＵ３６ａは、増加前リーチ図柄として決定した飾り図柄の種類に基づき、リーチラインが増加した後に導出されるとともに前記増加前リーチ図柄から最も離れた図柄である禁則基準図柄（第２特定値）を算出する。なお、禁則基準図柄は、リーチラインが増加した際に導出される図柄であるため、基準図柄〜禁則基準図柄に含まれる図柄と課題図柄が一致すると、ミッションを達成したにもかかわらず、大当り遊技が付与されなかったという誤認識を与えてしまう虞がある。したがって、課題図柄としては、基準図柄〜禁則基準図柄に含まれる図柄とは異なる図柄が選択されなければならない。
【００７１】
そして、前述した禁則基準図柄は、以下の計算式（１）によって求められる。
禁則基準図柄を特定する図柄番号＝（基準図柄を特定する図柄番号（第１特定値）＋リーチ形成列を構成する図柄数−リーチライン増加数）％（剰余）リーチ形成列を構成する図柄数…（１）
例えば、統括制御用ＣＰＵ３６ａは、増加前リーチ図柄として［３］を決定した場合、基準図柄は［３］となる。また、本実施形態では、各図柄を特定する図柄番号が対応付けられている。具体的には、図柄［１］を特定する図柄番号として「００Ｈ」が対応付けられているとともに、図柄［２］を特定する図柄番号として「０１Ｈ」が対応付けられている。また、図柄［３］を特定する図柄番号として「０２Ｈ」が対応付けられているとともに、図柄［４］を特定する図柄番号として「０３Ｈ」が対応付けられている。同様に、図柄［５］を特定する図柄番号として「０４Ｈ」が対応付けられているとともに、図柄［６］を特定する図柄番号として「０５Ｈ」が対応付けられている。また、図柄［７］を特定する図柄番号として「０６Ｈ」が対応付けられている。そして、統括制御用ＣＰＵ３６ａは、…００Ｈ（［１］）→０１Ｈ（［２］）→０２Ｈ（［３］）→０３Ｈ（［４］）→０４Ｈ（［５］）→０５Ｈ（［６］）→０６Ｈ（［７］）→００Ｈ（［１］）→…というように、図柄番号によって図柄の種類及び有効ラインＬ１上を通過した図柄を把握することになる。
【００７２】
そして、本実施形態では、［１］、［２］、［３］、［４］、［５］、［６］、及び［７］で示す７種類の図柄によってリーチ形成列が構成されているため、リーチ形成列を構成する図柄数は［７］となる。また、はずれリーチ演出用の変動パターンＰ４（ライン増加数２本）が選択された場合、図４（ａ）〜図４（ｃ）で説明したように、リーチラインの本数が１本から２本に増加するため、リーチライン増加数は、２（本）−１（本）＝１（本）となる。これにより、これらの値を前述の計算式（１）に当てはめると、（０２Ｈ＋０７Ｈ−０１Ｈ）＝０８Ｈ（第１の演算値）となる。そして、第１の演算値（０８Ｈ）を、リーチ形成列を構成する図柄数（０７Ｈ）で除算した際の剰余値は、０１Ｈとなる。また、前述したように、「０１Ｈ」によって特定される図柄は図柄［２］であるため、増加前リーチ図柄として［３］を決定した際の禁則基準図柄は［２］となる（図５参照）。
【００７３】
本実施形態では、変動パターンＰ４が選択された場合、基準図柄と禁則基準図柄の差分が「−０１Ｈ」、つまり、基準図柄よりも禁則基準図柄の方が、表示順序が１つ後となっている。ところが、統括制御用ＣＰＵ３６ａは、図柄の種類を図柄番号によって把握しているため、単に、基準図柄を特定する図柄番号から１減算するだけで禁則基準図柄を算出できるわけではない。つまり、左列は、リーチライン増加後、上から数えて、…１→２→３→４→５→６→７→１→…というような順番で表示されるようになっている。したがって、例えば、基準図柄として［１］が決定された場合、基準図柄を特定する図柄番号「００Ｈ」から１減算すると、−０１Ｈとなり、本来特定されるべき０６Ｈを算出することができない。
【００７４】
したがって、統括制御用ＣＰＵ３６ａは、基準図柄を特定する図柄番号にリーチ形成列を構成する図柄数を加算することで、減算後の値をマイナス値としない。そして、リーチラインが増加した分だけリーチ形成列を構成する図柄数が増加してしまうので、増加したリーチライン数を減算した上で、リーチ形成列を構成する図柄数で除算することで、その剰余値が、禁則基準図柄を特定することになる。
【００７５】
また、統括制御用ＣＰＵ３６ａは、まず、以下の計算式（２）に従って課題図柄を算出する。
課題図柄を特定する図柄番号＝（リーチ形成列を構成する図柄数−増加後のリーチライン数）と等しい個数の図柄番号のうちランダム…（２）
例えば、はずれリーチ演出用の変動パターンＰ４（ライン増加数２本）が選択された場合、そのリーチライン数は２本であるため、前述の計算式（２）に当てはめると、７−２＝５となる。そして、統括制御用ＣＰＵ３６ａは計算式（２）で算出した数（５）と同じ個数の「００Ｈ」〜「０４Ｈ」で示す５つの仮課題図柄を特定する図柄番号（課題決定値）の中から何れか１つの図柄番号を決定する。なお、本実施形態では、０〜９９で示す１００通りの乱数値が設定されており、抽出した乱数値を計算式（２）で算出した値で除算したときの剰余値によって、図柄番号「００Ｈ」〜「０４Ｈ」のうち何れか１つを特定可能となっている。例えば、統括制御用ＣＰＵ３６ａが、図柄番号を特定するための乱数値として「２１」を選択した場合、「２１」を「５」で除算したときの剰余値は、「１」となるため、図柄番号として「０１Ｈ」を決定する。このとき、統括制御用ＣＰＵ３６ａは、決定した図柄番号で特定される図柄を、仮課題図柄（仮図柄）として決定することになる。なお、図５では、「課題図柄」で示す項目の上段に記載されている「００Ｈ」〜「０４Ｈ」のうち何れか１つの図柄番号が仮課題図柄に対応している。
【００７６】
その後、統括制御用ＣＰＵ３６ａは、計算式（２）で算出した図柄番号と、計算式（１）で算出した禁則基準図柄を特定する図柄番号とを比較し、仮課題図柄を特定する図柄番号が禁則基準図柄を特定する図柄番号以上であるか否かを判定する。つまり、統括制御用ＣＰＵ３６ａは、仮課題図柄として決定した図柄が、禁則基準図柄と同じか否か、又は禁則基準図柄よりも表示順序が前であるか否かを判定していることになる。このとき、統括制御用ＣＰＵ３６ａは、仮課題図柄として決定した図柄を特定する図柄番号が、禁則基準図柄を特定する図柄番号以上であった場合、禁則基準図柄と同じ、又は禁則基準図柄よりも表示順序が後であることを認識する。一方、仮課題図柄として決定した図柄を特定する図柄番号が、禁則基準図柄を特定する図柄番号未満であった場合、禁則基準図柄よりも表示順序が前であることを認識する。
【００７７】
なお、ライン増加数が２本の場合、リーチライン上に表示される図柄は「２種類」であるため、課題図柄として選択可能な図柄は５種類である。この場合、統括制御用ＣＰＵ３６ａは、仮課題図柄として「００Ｈ」〜「０４Ｈ」のうち何れかで特定される図柄「［１］〜［５］のうち何れかを決定することになる。つまり、計算式（２）に基づいて課題図柄を決定した時点では、仮課題図柄として［６］［７］は決定されない。そして、決定した仮課題図柄がリーチライン上に表示される図柄に含まれない場合、統括制御用ＣＰＵ３６ａは、仮課題図柄を課題図柄として決定することになる。その一方、決定した仮課題図柄がリーチライン上に表示される図柄に含まれる場合、統括制御用ＣＰＵ３６ａは、課題図柄の選択範囲からリーチライン上に表示される図柄を除外するために、仮課題図柄を特定する図柄番号に、リーチライン数と同じ個数である「２」を加算する。これにより、課題図柄が、リーチライン上に表示される図柄とは必ず異なる図柄となる。
【００７８】
なお、統括制御用ＣＰＵ３６ａは、計算式（２）で算出した仮課題図柄を特定する図柄番号が計算式（１）で算出した禁則基準図柄を特定する図柄番号未満であった場合、計算式（２）で算出した仮課題図柄を課題図柄として決定する。
【００７９】
例えば、計算式（１）で禁則基準図柄として［２］が算出されるとともに、計算式（２）で課題図柄を特定する図柄番号として「００Ｈ」が算出されたとする。この場合、禁則基準図柄としての［２］は、「０１Ｈ」で示す図柄番号によって特定されるため、仮課題図柄を特定する図柄番号（００Ｈ）は禁則基準図柄を特定する図柄番号（０１Ｈ）よりも小さい値となる。これにより、統括制御用ＣＰＵ３６ａは、計算式（２）で算出した図柄番号で特定される仮課題図柄を課題図柄として決定することになる。そして、前述したように、「００Ｈ」によって特定される図柄は図柄［１］であるため、統括制御用ＣＰＵ３６ａは、課題図柄として［１］を決定したことになる。この場合、増加後リーチ図柄は、［２］及び［３］となるが、課題図柄として［１］を決定したことにより、リーチライン増加後の図柄と課題図柄が一致することがない（図５参照）。
【００８０】
したがって、仮課題図柄を特定する図柄番号が禁則基準図柄を特定する図柄番号未満となる場合には、仮課題図柄を特定する図柄番号を再算出する必要がなく、仮課題図柄を課題図柄として決定することになる。
【００８１】
一方、仮課題図柄を特定する図柄番号が禁則基準図柄を特定する図柄番号以上であった場合、統括制御用ＣＰＵ３６ａは、以下の計算式（３）に従って、課題図柄を特定する図柄番号を再算出する。
【００８２】
仮課題図柄を特定する図柄番号＋リーチライン数…（３）
例えば、計算式（１）で禁則基準図柄として［２］が算出されるとともに、計算式（２）で仮課題図柄を特定する図柄番号として「０１Ｈ」が算出されたとする。この場合、禁則基準図柄としての［２］は、「０１Ｈ」で示す図柄番号によって特定されるため、仮課題図柄を特定する図柄番号（０１Ｈ）と禁則基準図柄を特定する図柄番号（０１Ｈ）は同一の値となる。これにより、統括制御用ＣＰＵ３６ａは、計算式（３）に従って、図柄番号を再算出することになり、再算出後の図柄番号は、０１Ｈ＋０２Ｈ＝０３Ｈとなる。そして、前述したように、「０３Ｈ」によって特定される図柄は図柄［４］であるため、統括制御用ＣＰＵ３６ａは、課題図柄として［４］を決定したことになる。この場合、ライン増加後のリーチ図柄は、［２］及び［３］となるが、課題図柄として［４］を決定したことにより、リーチライン増加後の図柄と課題図柄が一致することがない（図５参照）。
【００８３】
また、計算式（１）で禁則基準図柄として［２］が算出されるとともに、計算式（２）で仮課題図柄を特定する図柄番号として「０２Ｈ」が算出されたとする。この場合、禁則基準図柄としての［２］は、「０１Ｈ」で示す図柄番号によって特定されるため、仮課題図柄を特定する図柄番号（０２Ｈ）は、禁則基準図柄を特定する図柄番号（０１Ｈ）よりも大きい値となる。これにより、統括制御用ＣＰＵ３６ａは、計算式（３）に従って、課題図柄を特定する図柄番号を再算出することになり、再算出後の課題図柄を特定する図柄番号は、０２Ｈ＋０２Ｈ＝０４Ｈとなる。そして、前述したように、「０４Ｈ」によって特定される図柄は図柄［５］であるため、統括制御用ＣＰＵ３６ａは、課題図柄として［５］を決定したことになる。この場合、ライン増加後のリーチ図柄は、［２］及び［３］となるが、課題図柄として［５］を決定したことにより、リーチライン増加後の図柄と課題図柄が一致することがない（図５参照）。
【００８４】
また、計算式（１）で禁則基準図柄として［２］が算出されるとともに、計算式（２）で仮課題図柄を特定する図柄番号として「０３Ｈ」が算出されたとする。この場合、禁則基準図柄としての［２］は、「０１Ｈ」で示す図柄番号によって特定されるため、仮課題図柄を特定する図柄番号（０３Ｈ）は、禁則基準図柄を特定する図柄番号（０１Ｈ）よりも大きい値となる。これにより、統括制御用ＣＰＵ３６ａは、計算式（３）に従って、課題図柄を特定する図柄番号を再算出することになり、再算出後の課題図柄を特定する図柄番号は、０３Ｈ＋０２Ｈ＝０５Ｈとなる。そして、前述したように、「０５Ｈ」によって特定される図柄は図柄［６］であるため、統括制御用ＣＰＵ３６ａは、課題図柄として［６］を決定したことになる。この場合、ライン増加後のリーチ図柄は、［２］及び［３］となるが、課題図柄として［６］を決定したことにより、リーチライン増加後の図柄と課題図柄が一致することがない（図５参照）。
【００８５】
また、計算式（１）で禁則基準図柄として［２］が算出されるとともに、計算式（２）で仮課題図柄を特定する図柄番号として「０４Ｈ」が算出されたとする。この場合、禁則基準図柄としての［２］は、「０１Ｈ」で示す図柄番号によって特定されるため、仮課題図柄を特定する図柄番号（０４Ｈ）は、禁則基準図柄を特定する図柄番号（０１Ｈ）よりも大きい値となる。これにより、統括制御用ＣＰＵ３６ａは、計算式（３）に従って、課題図柄を特定する図柄番号を再算出することになり、再算出後の課題図柄を特定する図柄番号は、０４Ｈ＋０２Ｈ＝０６Ｈとなる。そして、前述したように、「０６Ｈ」によって特定される図柄は図柄［７］であるため、統括制御用ＣＰＵ３６ａは、課題図柄として［７］を決定したことになる。この場合、ライン増加後のリーチ図柄は、［２］及び［３］となるが、課題図柄として［７］を決定したことにより、リーチライン増加後の図柄と課題図柄が一致することがない（図５参照）。
【００８６】
このように、変動パターンＰ４が選択されるとともに禁則基準図柄として［２］が算出された場合に決定可能な課題図柄の範囲は、［４］（禁則基準図柄＋２）〜［１］（禁則基準図柄＋６）となる。ちなみに、前述した「＋○」との記載は、禁則基準図柄よりも表示順序が前であることを示す。つまり、［２］［３］以外の図柄を課題図柄として選択可能となっている。なお、ここでは、禁則基準図柄として［２］が算出された場合を例示したが、禁則基準図柄として［１］、［３］〜［７］のうち何れかが算出された場合であっても、統括制御用ＣＰＵ３６ａは、前述の演算方法にて課題図柄を算出する。
【００８７】
なお、計算式（２）で算出した仮課題図柄を特定する図柄番号と計算式（１）で算出した禁則基準図柄を比較した結果、仮課題図柄を特定する図柄番号が禁則基準図柄以上であった際に、新たに課題図柄を特定する図柄番号を再算出しなかった場合、以下のような現象が生じる。すなわち、計算式（１）で禁則基準図柄として［２］が算出されるとともに、計算式（２）で仮課題図柄を特定する図柄番号として「０１Ｈ」が算出されたとする。この場合、禁則基準図柄としての［２］は、「０１Ｈ」で示す図柄番号によって特定されるため、仮課題図柄を特定する図柄番号（０１Ｈ）と禁則基準図柄を特定する図柄番号（０１Ｈ）は同一の値となる。ところが、計算式（３）に従って仮課題図柄を特定する図柄番号を再算出しない場合、仮課題図柄を特定する図柄番号が「０１Ｈ」であるため、課題図柄として［２］が決定されたことになる。この場合、ライン増加後のリーチ図柄は、［２］及び［３］となるとともに、課題図柄として［２］が決定されたことにより、リーチライン増加後の図柄と課題図柄が一致してしまう。
【００８８】
また、計算式（１）で禁則基準図柄として［２］が算出されるとともに、計算式（２）で仮課題図柄を特定する図柄番号として「０２Ｈ」が算出されたとする。この場合、禁則基準図柄としての［２］は、「０１Ｈ」で示す図柄番号によって特定されるため、禁則基準図柄を特定する図柄番号（０２Ｈ）は、仮課題図柄を特定する図柄番号（０１Ｈ）よりも大きい値となる。ところが、計算式（３）に従って仮課題図柄を特定する図柄番号を再算出しない場合、仮課題図柄を特定する図柄番号が「０２Ｈ」であるため、課題図柄として［３］が決定されたことになる。この場合、ライン増加後のリーチ図柄は、［２］及び［３］となるとともに、課題図柄として［３］が決定されたことにより、リーチライン増加後の図柄と課題図柄が一致してしまう。
【００８９】
したがって、統括制御用ＣＰＵ３６ａは、仮課題図柄を特定する図柄番号が禁則基準図柄を特定する図柄番号以上となる場合には、リーチライン数と同一の値を加算することで、課題図柄としてリーチライン増加後の図柄と同一の課題図柄を選択することがなくなる。
【００９０】
そして、統括制御用ＣＰＵ３６ａは、図柄変動ゲームの開始時に、決定した課題図柄を指示する課題図柄指示コマンドを演出表示制御基板３７に出力する。
このように、統括制御用ＣＰＵ３６ａは、変動パターンＰ４が選択された際に増加前リーチ図柄としてどの図柄を決定した場合であっても、仮課題図柄として［１］〜［５］で示す５種類の図柄を選択可能となっている。そして、選択した仮課題図柄が禁則基準図柄と同一の場合には、増加後リーチ図柄と仮課題図柄が同一となってしまう虞がある。このため、禁則基準図柄からリーチライン数と同一の数だけ、表示順序に従って前方向にずらした分の図柄を課題図柄として決定すれば、増加後リーチ図柄と課題図柄が同一となることがなくなる。一方、選択した仮課題図柄が禁則基準図柄よりも表示順序が前の場合には、増加後リーチ図柄と課題図柄が同一となることがないので、仮課題図柄を課題図柄として決定可能となる。
【００９１】
次に、はずれリーチ演出用の変動パターンＰ６（ライン増加数３本）を指定する変動パターン指定コマンドを入力した場合における課題図柄の決定方法について図６に従って説明する。
【００９２】
統括制御用ＣＰＵ３６ａは、はずれリーチ演出用の変動パターンＰ６（ライン増加数３本）を指定する変動パターン指定コマンドを入力したとすると、増加前リーチ図柄として決定した飾り図柄の種類に基づき、禁則基準図柄を算出する。
【００９３】
例えば、統括制御用ＣＰＵ３６ａは、増加前リーチ図柄として［４］を決定した場合、基準図柄が［４］となる。また、はずれリーチ演出用の変動パターンＰ６（ライン増加数３本）が選択された場合、図４（ａ），（ｂ），（ｄ）で説明したように、リーチラインの本数が１本から３本に増加するため、リーチライン増加数は、３（本）−１（本）＝２（本）となる。これにより、これらの値を前述の計算式（１）に当てはめると、（０３Ｈ＋０７Ｈ−０２Ｈ）＝０８Ｈ（第１の演算値）となる。そして、第１の演算値（０８Ｈ）を、リーチ形成列を構成する図柄数（０７Ｈ）で除算した際の剰余値は、０１Ｈとなる。また、前述したように、「０１Ｈ」によって特定される図柄は図柄［２］であるため、増加前リーチ図柄として［４］を決定した際の禁則基準図柄は［２］となる（図６参照）。
【００９４】
また、統括制御用ＣＰＵ３６ａは、計算式（２）に従って仮課題図柄を算出する。
例えば、はずれリーチ演出用の変動パターンＰ６（ライン増加数３本）が選択された場合、そのリーチライン数は３本であるため、前述の計算式（２）に当てはめると、７−３＝４となる。そして、統括制御用ＣＰＵ３６ａは計算式（２）で算出した数（４）と同一個数の「００Ｈ」〜「０３Ｈ」で示す４つの仮課題図柄を特定する図柄番号の中から何れか１つの図柄番号を決定する。なお、本実施形態では、０〜９９で示す１００通りの乱数値が設定されており、抽出した乱数値を計算式（２）で算出した値で除算したときの剰余値によって、図柄番号「００Ｈ」〜「０３Ｈ」のうち何れか１つを特定可能となっている。例えば、統括制御用ＣＰＵ３６ａが、図柄番号を特定するための乱数値として「２１」を選択した場合、「２１」を「４」で除算したときの剰余値は、「１」となるため、図柄番号として「０１Ｈ」を決定する。なお、本実施形態では、乱数値として０〜９９で示す１００通りの値を設定したが、「４」と「５」の公倍数となる値であれば、どのような値であっても良い。このとき、統括制御用ＣＰＵ３６ａは、決定した図柄番号で特定される図柄を、仮課題図柄として決定することになる。
【００９５】
その後、統括制御用ＣＰＵ３６ａは、計算式（２）で算出した仮課題図柄を特定する図柄番号と、計算式（１）で算出した禁則基準図柄を特定する図柄番号とを比較し、仮課題図柄を特定する図柄番号が禁則基準図柄を特定する図柄番号以上であるか否かを判定する。
【００９６】
例えば、計算式（１）で禁則基準図柄として［２］が算出されるとともに、計算式（２）で仮課題図柄を特定する図柄番号として「００Ｈ」が算出されたとする。この場合、禁則基準図柄としての［２］は、「０１Ｈ」で示す図柄番号によって特定されるため、仮課題図柄を特定する図柄番号（００Ｈ）は禁則基準図柄を特定する図柄番号（０１Ｈ）よりも小さい値となる。これにより、統括制御用ＣＰＵ３６ａは、計算式（２）で算出した図柄番号で特定される仮課題図柄を課題図柄として決定することになる。そして、前述したように、「００Ｈ」によって特定される図柄は図柄［１］であるため、統括制御用ＣＰＵ３６ａは、課題図柄として［１］を決定したことになる。この場合、ライン増加後のリーチ図柄は、［２］［３］［４］となるが、課題図柄として［１］を決定したことにより、リーチライン増加後の図柄と課題図柄が一致することがない（図６参照）。
【００９７】
一方、仮課題図柄を特定する図柄番号が禁則基準図柄を特定する図柄番号以上であった場合、統括制御用ＣＰＵ３６ａは、計算式（３）に従って、課題図柄を特定する図柄番号を再算出する。
【００９８】
例えば、計算式（１）で禁則基準図柄として［２］が算出されるとともに、計算式（２）で仮課題図柄を特定する図柄番号として「０１Ｈ」が算出されたとする。この場合、禁則基準図柄としての［２］は、「０１Ｈ」で示す図柄番号によって特定されるため、仮課題図柄を特定する図柄番号（０１Ｈ）と禁則基準図柄を特定する図柄番号（０１Ｈ）は同一の値となる。これにより、統括制御用ＣＰＵ３６ａは、計算式（３）に従って、課題図柄を特定する図柄番号を再算出することになり、再算出後の課題図柄を特定する図柄番号は、０１Ｈ＋０３Ｈ＝０４Ｈとなる。そして、前述したように、「０４Ｈ」によって特定される図柄は図柄［５］であるため、統括制御用ＣＰＵ３６ａは、課題図柄として［５］を決定したことになる。この場合、ライン増加後のリーチ図柄は、［２］［３］［４］となるが、課題図柄として［５］を決定したことにより、リーチライン増加後の図柄と課題図柄が一致することがない（図６参照）。
【００９９】
また、計算式（１）で禁則基準図柄として［２］が算出されるとともに、計算式（２）で仮課題図柄を特定する図柄番号として「０２Ｈ」が算出されたとする。この場合、禁則基準図柄としての［２］は、「０１Ｈ」で示す図柄番号によって特定されるため、仮課題図柄を特定する図柄番号（０２Ｈ）は、禁則基準図柄を特定する図柄番号（０１Ｈ）よりも大きい値となる。これにより、統括制御用ＣＰＵ３６ａは、計算式（３）に従って、課題図柄を特定する図柄番号を再算出することになり、再算出後の課題図柄を特定する図柄番号は、０２Ｈ＋０３Ｈ＝０５Ｈとなる。そして、前述したように、「０５Ｈ」によって特定される図柄は図柄［６］であるため、統括制御用ＣＰＵ３６ａは、課題図柄として［６］を決定したことになる。この場合、ライン増加後のリーチ図柄は、［２］［３］［４］となるが、課題図柄として［６］を決定したことにより、リーチライン増加後の図柄と課題図柄が一致することがない（図６参照）。
【０１００】
また、計算式（１）で禁則基準図柄として［２］が算出されるとともに、計算式（２）で仮課題図柄を特定する図柄番号として「０３Ｈ」が算出されたとする。この場合、禁則基準図柄としての［２］は、「０１Ｈ」で示す図柄番号によって特定されるため、仮課題図柄を特定する図柄番号（０３Ｈ）は、禁則基準図柄を特定する図柄番号（０１Ｈ）よりも大きい値となる。これにより、統括制御用ＣＰＵ３６ａは、計算式（３）に従って、課題図柄を特定する図柄番号を再算出することになり、再算出後の課題図柄を特定する図柄番号は、０３Ｈ＋０３Ｈ＝０６Ｈとなる。そして、前述したように、「０６Ｈ」によって特定される図柄は図柄［７］であるため、統括制御用ＣＰＵ３６ａは、課題図柄として［７］を決定したことになる。この場合、ライン増加後のリーチ図柄は、［２］［３］［４］となるが、課題図柄として［７］を決定したことにより、リーチライン増加後の図柄と課題図柄が一致することがない（図６参照）。
【０１０１】
このように、変動パターンＰ６が選択されるとともに禁則基準図柄として［２］が算出された場合に決定可能な課題図柄の範囲は、［５］（禁則基準図柄＋３）〜［１］（禁則基準図柄＋６）となる。つまり、［２］〜［４］以外の図柄を課題図柄として選択可能となっている。なお、ここでは、禁則基準図柄として［２］が算出された場合を例示したが、禁則基準図柄として［１］、［３］〜［７］のうち何れかが算出された場合であっても、統括制御用ＣＰＵ３６ａは、前述の演算方法にて課題図柄を算出する。
【０１０２】
このように、本実施形態のパチンコ遊技機１０によれば、リーチラインの本数や如何なる図柄でリーチが形成されるかにかかわらず、同一の演算処理によって、選択可能な複数種類の課題図柄の中から何れか１つの課題図柄を算出することができる。
【０１０３】
なお、統括制御用ＣＰＵ３６ａは、大当り演出用の変動パターンＰ３，Ｐ５，Ｐ７が選択された場合、課題図柄として［１］〜［７］のうち何れか１つの図柄を決定する。一方、統括制御用ＣＰＵ３６ａは、はずれリーチ演出用の変動パターンＰ２（ライン増加なし）が選択された場合、リーチの図柄組み合わせとは異なる図柄の中から抽選で課題図柄を決定する。例えば、統括制御用ＣＰＵ３６ａは、はずれリーチの図柄組み合わせとして「２３２」を決定した場合、課題図柄として［１］、［３］〜［６］、及び［７］のうち何れか１つの図柄を決定する。
【０１０４】
そして、統括制御用ＣＰＵ３６ａは、決定した課題図柄を指示する課題図柄指示コマンドを演出表示制御基板３７に出力する。そして、統括制御用ＣＰＵ３６ａから課題図柄指示コマンドを入力した表示制御用ＣＰＵ３７ａは、当該コマンドで指定された課題図柄を表示させるように、演出表示装置２２を制御する。
【０１０５】
本実施形態では、統括制御用ＣＰＵ３６ａが、リーチ形成図柄決定手段、課題決定手段、演出制御手段として機能する。また、表示制御用ＣＰＵ３７ａが、演出制御手段として機能する。
【０１０６】
次に、本実施形態のパチンコ遊技機１０において、増加後リーチ図柄の中にリーチライン増加前に提示された課題図柄と同一の図柄を含む演出態様（ＮＧ態様）を、図７及び図９にしたがって説明する。また、本実施形態のパチンコ遊技機１０において、増加後リーチ図柄の中にリーチライン増加前に提示された課題図柄と同一の図柄を含まないように実行される演出態様（ＯＫ態様）を、図８及び図１０にしたがって説明する。
【０１０７】
なお、図７〜図１０において演出表示装置２２内に図示する矢印は「図柄の変動」を示し、二点鎖線は「リーチライン」を示す。
最初に、課題図柄を決定するに際し、増加後リーチ図柄を考慮しなかった際の演出態様を図７（ａ）〜（ｃ）に従って説明する。
【０１０８】
統括制御用ＣＰＵ３６ａは、ミッション演出を実行可能な期間中にはずれリーチ演出用の変動パターンＰ４（ライン増加数２本）を指定する変動パターン指定コマンドを入力したとすると、確定停止表示させる飾り図柄の図柄組み合わせに基づいて、増加前リーチ図柄を決定する。そして、統括制御用ＣＰＵ３６ａは、増加前リーチ図柄として［４］を決定した場合、禁則基準図柄を特定する図柄番号は、計算式（１）に当てはめると、（０３Ｈ＋０７Ｈ−０１Ｈ）÷０７Ｈ＝１…０２Ｈとなり、禁則基準図柄は［３］となる。そして、統括制御用ＣＰＵ３６ａは、課題図柄として［３］を決定したとする。
【０１０９】
この場合、変動パターンＰ４に基づく図柄変動ゲームでは、演出表示装置２２において、前述した表示順序で全列が変動し、左列の図柄が停止するよりも前に「「３」でリーチをかけろ！！」というミッション演出が実行される。そして、所定時間経過後に左列と右列に図柄［４］が導出されて１本のリーチラインが形成される（図７（ａ））。この時点では、課題図柄とリーチ図柄が異なるので、課題達成とはならない。その後、所定のキャラクタを題材としたリーチ演出に移行した後、所定時間の経過後に、リーチライン増加前のリーチ形成図柄（この例では［４］）が有効ラインＬ２上に移動した後、左列及び右列において、［４］を基準として有効ラインＬ３上に［３］が展開される（図７（ｂ））。この場合、課題図柄［３］と有効ラインＬ３上に導出されたリーチ形成図柄（３）が同一であるため、はずれリーチ演出用の変動パターンＰ４に基づく図柄変動ゲームであるにもかかわらず、リーチライン増加後のリーチ図柄の中に課題図柄と同じ図柄［３］が含まれてしまうことになる。
【０１１０】
そして、有効ラインＬ２上にはずれリーチの図柄組み合わせ（４５４）が導出された後、所定時間経過後にリーチラインが１本に戻り、有効ラインＬ２上に導出された図柄組み合わせが有効ラインＬ１上に確定停止表示される（図７（ｃ））。これにより、ミッションを達成したにもかかわらず、大当り遊技が付与されなかったと勘違いしてしまう虞がある。
【０１１１】
次に、課題図柄を決定するに際し、増加前リーチ図柄を考慮した際の演出態様を図８（ａ）〜（ｃ）に従って説明する。なお、図７と同一箇所についての説明は省略する。
図８において、課題図柄を特定する図柄番号の個数は、計算式（２）に当てはめると、７−２＝５となるので、統括制御用ＣＰＵ３６ａは、「００Ｈ」〜「０４Ｈ」で示す５つの図柄番号の中から何れか１つの課題図柄を特定する図柄番号を決定する。このとき、統括制御用ＣＰＵ３６ａは、仮課題図柄を特定する図柄番号として「０３Ｈ」を選択したとすると、仮課題図柄を特定する図柄番号が禁則基準図柄以上であるか否かを判定する。この場合、仮課題図柄を特定する図柄番号（「０３Ｈ」）が禁則基準図柄を特定する図柄番号（「０２Ｈ」）よりも大きいため、統括制御用ＣＰＵ３６ａは、計算式（３）に従って、課題図柄を特定する図柄番号を再算出することになる。この場合、再算出後の課題図柄を特定する図柄番号は、０３Ｈ＋０２Ｈ＝０５Ｈとなり、当該課題図柄を特定する図柄番号で特定される課題図柄は［６］となる。
【０１１２】
この場合、変動パターンＰ４に基づく図柄変動ゲームでは、演出表示装置２２において、前述した表示順序で全列が変動し、左列の図柄が停止するよりも前に「「６」でリーチをかけろ！！」というミッション演出が実行される。そして、所定時間経過後に左列と右列に図柄［４］が導出されて１本のリーチラインが形成される（図８（ａ））。この時点では、課題図柄とリーチ図柄が異なるので、課題達成とはならない。その後、所定のキャラクタを題材としたリーチ演出に移行した後、所定時間の経過後に、リーチライン増加前のリーチ形成図柄（この例では［４］）が有効ラインＬ２上に移動した後、左列及び右列において、［４］を基準として有効ラインＬ３上に［３］が展開される（図８（ｂ））。この場合、課題図柄（６）と有効ラインＬ２，Ｌ３上に導出されたリーチ形成図柄（［３］及び［４］）が異なるため、ライン増加後のリーチ形成図柄の中に課題図柄と同じ図柄（［６］）が一致することがない（図５参照）。
【０１１３】
そして、有効ラインＬ２上にはずれリーチの図柄組み合わせ（４５４）が導出された後、所定時間経過後にリーチラインが１本に戻り、有効ラインＬ２上に導出された図柄組み合わせが有効ラインＬ１上に確定停止表示される（図８（ｃ））。これにより、ミッション未達成となる。
【０１１４】
次に、課題図柄を決定するに際し、増加後リーチ図柄を考慮しなかった際の演出態様を図９（ａ）〜（ｃ）に従って説明する。
統括制御用ＣＰＵ３６ａは、ミッション演出を実行可能な期間中にはずれリーチ演出用の変動パターンＰ６（ライン増加数３本）を指定する変動パターン指定コマンドを入力したとすると、確定停止表示させる飾り図柄の図柄組み合わせに基づいて、増加前リーチ図柄を決定する。そして、統括制御用ＣＰＵ３６ａは、増加前リーチ図柄として［４］を決定した場合、禁則基準図柄を特定する図柄番号は、計算式（１）に当てはめると、（０３Ｈ＋０７Ｈ−０２Ｈ）÷０７Ｈ＝１…０１Ｈとなり、禁則基準図柄は［２］となる。そして、統括制御用ＣＰＵ３６ａは、課題図柄として［３］を決定したとする。
【０１１５】
この場合、変動パターンＰ６に基づく図柄変動ゲームでは、演出表示装置２２において、前述した表示順序で全列が変動し、左列の図柄が停止するよりも前に「「３」でリーチをかけろ！！」というミッション演出が実行される。そして、所定時間経過後に左列と右列に図柄［４］が導出されて１本のリーチラインが形成される（図９（ａ））。この時点では、課題図柄とリーチ図柄が異なるので、課題達成とはならない。その後、所定のキャラクタを題材としたリーチ演出に移行した後、所定時間の経過後に、リーチライン増加前のリーチ形成図柄（この例では［４］）が有効ラインＬ２上に移動した後、左列及び右列において、［４］を基準として有効ラインＬ１上に［３］が、有効ラインＬ３上に［２］が展開される（図９（ｂ））。この場合、課題図柄［３］と有効ラインＬ１上に導出されたリーチ形成図柄［３］が同一であるため、はずれリーチ演出用の変動パターンＰ６に基づく図柄変動ゲームであるにもかかわらず、リーチライン増加後のリーチ図柄の中に課題図柄と同じ図柄［３］が含まれてしまうことになる。
【０１１６】
そして、有効ラインＬ２上にはずれリーチの図柄組み合わせ（４５４）が導出された後、所定時間経過後にリーチラインが１本に戻り、有効ラインＬ２上に導出された図柄組み合わせが有効ラインＬ１上に確定停止表示される（図９（ｃ））。これにより、ミッションを達成したにもかかわらず、大当り遊技が付与されなかったと勘違いしてしまう虞がある。
【０１１７】
次に、課題図柄を決定するに際し、増加前リーチ図柄を考慮した際の演出態様を図１０（ａ）〜（ｃ）に従って説明する。なお、図９と同一箇所についての説明は省略する。
図１０において、課題図柄を特定する図柄番号の個数は、計算式（２）に当てはめると、７−３＝４となるので、統括制御用ＣＰＵ３６ａは、「００Ｈ」〜「０３Ｈ」で示す４つの図柄番号の中から何れか１つの課題図柄を特定する図柄番号を決定する。このとき、統括制御用ＣＰＵ３６ａは、仮課題図柄を特定する図柄番号として「０２Ｈ」を選択したとすると、仮課題図柄を特定する図柄番号が禁則基準図柄以上であるか否かを判定する。この場合、仮課題図柄を特定する図柄番号（「０２Ｈ」）が禁則基準図柄を特定する図柄番号（「０１Ｈ」）よりも大きいため、統括制御用ＣＰＵ３６ａは、計算式（３）に従って、課題図柄を特定する図柄番号を再算出することになる。この場合、再算出後の課題図柄を特定する図柄番号は、０２Ｈ＋０３Ｈ＝０５Ｈとなり、当該課題図柄を特定する図柄番号で特定される課題図柄は［６］となる。
【０１１８】
この場合、変動パターンＰ６に基づく図柄変動ゲームでは、演出表示装置２２において、前述した表示順序で全列が変動し、左列の図柄が停止するよりも前に「「６」でリーチをかけろ！！」というミッション演出が実行される。そして、所定時間経過後に左列と右列に図柄［４］が導出されて１本のリーチラインが形成される（図１０（ａ））。この時点では、課題図柄とリーチ図柄が異なるので、課題達成とはならない。その後、所定のキャラクタを題材としたリーチ演出に移行した後、所定時間の経過後に、リーチライン増加前のリーチ形成図柄（この例では［４］）が有効ラインＬ２上に移動した後、左列及び右列において、［４］を基準として有効ラインＬ１上に［３］が、有効ラインＬ３上に［２］が展開される（図１０（ｂ））。この場合、課題図柄（６）と有効ラインＬ１〜Ｌ３上に導出されたリーチ形成図柄（［２］〜［４］）が異なるため、ライン増加後のリーチ形成図柄の中に課題図柄と同じ図柄（［６］）が一致することがない（図６参照）。
【０１１９】
そして、有効ラインＬ２上にはずれリーチの図柄組み合わせ（４５４）が導出された後、所定時間経過後にリーチラインが１本に戻り、有効ラインＬ２上に導出された図柄組み合わせが有効ラインＬ１上に確定停止表示される（図１０（ｃ））。これにより、ミッション未達成となる。
【０１２０】
したがって、本実施形態によれば、以下に示す効果を得ることができる。
（１）統括制御用ＣＰＵ３６ａは、リーチラインの本数が増加するはずれリーチ演出用の変動パターンが選択された場合、全図柄のうち増加後リーチ図柄を除く複数の図柄の中からいずれか１つの図柄を課題図柄として決定する。これにより、リーチ図柄と課題図柄の組み合わせのバリエーションを増加させるとともに、その出現率も均一化し、課題図柄と異なるリーチ図柄が導出された場合であっても、大当りとなることに期待を持たせることができる。
【０１２１】
（２）統括制御用ＣＰＵ３６ａは、増加後リーチ図柄に含まれる図柄を課題図柄として決定してしまった場合、一義的に課題図柄を対応付けるのではなく、複数の図柄で構成される特定範囲内の中から課題図柄を決定する。これにより、はずれとなるにもかかわらず課題を達成したかのような演出が実行されることなく、かつはずれ時に出現する課題図柄が偏ってしまうことも抑制することができる。
【０１２２】
（３）統括制御用ＣＰＵ３６ａは、大当り抽選に当選している場合には、課題図柄として増加前リーチ図柄と同一の図柄を決定可能とした。これにより、課題達成により、大当り抽選に当選していることを認識させることができる。
【０１２３】
（４）統括制御用ＣＰＵ３６ａは、決定した仮課題図柄を特定する図柄番号が禁則基準図柄を特定する図柄番号未満であった場合、決定した仮課題図柄を課題図柄として決定する。その一方、統括制御用ＣＰＵ３６ａは、決定した仮課題図柄を特定する図柄番号が禁則基準図柄を特定する図柄番号以上であった場合、決定した仮課題図柄を特定する図柄番号に増加後のリーチライン数と同一の値を加算した値で特定される図柄番号を、新たな課題図柄を特定する図柄番号として決定する。このような演算処理を実行することで、はずれ時においてリーチ形成図柄と課題図柄が一致してしまうことなく、かつ特定の課題図柄が偏って決定されることもなくなり、適切に課題図柄を決定することができる。
【０１２４】
（５）リーチラインを増加させる場合、中列及び右列における図柄の表示順序を、リーチライン増加前と同一の表示順序とする一方で、左列における図柄の表示順序を、リーチライン増加前と逆の表示順序とするようにした。これにより、複数のリーチラインを形成可能にすることができるとともに、リーチライン増加時における図柄の展開方向が逆方向となり、意外性を与えることができる。
【０１２５】
（６）計算式（２）で算出した数と同一個数の図柄番号（課題決定値）に対して、仮課題図柄を特定する図柄番号選択用の乱数値を設定し、抽出した乱数値を計算式（２）で算出した値で除算したときの剰余値によって、図柄番号を特定するようにした。このように設定することで、１つの図柄への偏りを防ぐことができるとともに課題図柄の選択確率を一定に保つことができる。また、リーチ形成列の図柄数やリーチラインの数に変更があった場合でも、リーチライン数に応じて異なる計算式（２）で算出される値の公倍数となる数の乱数値を設定し、その値を計算式（２）で算出した値で除算するだけで、その剰余値によって図柄番号を特定することができる。
【０１２６】
（７）基準図柄を特定する図柄番号にリーチ形成列を構成する図柄数を加算した値からリーチライン増加数を減算することで第１の演算値を算出し、第１の演算値を、リーチ形成列を構成する図柄の個数で除算した際の剰余値を禁則基準図柄として算出するようにした（計算式（１））。このような演算方法を採用することで、図柄の種類を図柄番号によって把握することができるとともに、各列の図柄が循環して変動するような態様であっても、禁則基準図柄として正確な値を算出することができる。
【０１２７】
（８）リーチライン増加後、禁則基準図柄から順番に煽り演出を行った後、最終的に増加前リーチ図柄で煽り演出を行うようにした。これにより、リーチラインが増加する演出が行われた場合であっても、最終的に停止表示される図柄組み合わせは、増加前リーチ図柄として決定された図柄となるため、増加前のリーチ図柄と増加後のリーチ図柄の関連性を明確なものとすることができる。
【０１２８】
（９）どの変動パターンが選択された場合であっても、リーチラインを増加させる際の図柄の展開方向を一定方向として定めた。これにより、課題図柄として選択可能な図柄の種類の範囲が、禁則基準図柄を中心としてどちらの方向に一定方向にずれるのかを統一することができる。
【０１２９】
（１０）リーチラインの本数や如何なる図柄でリーチが形成されるかにかかわらず、同一の演算処理を実行し、選択可能な複数種類の課題図柄の中から何れか１つの課題図柄を算出するようにした。これにより、リーチラインの本数や図柄の種類毎に課題図柄をパターン化したデータを記憶させる場合に比して、サブ統括制御基板３６の記憶容量の圧迫を削減しつつ、リーチ図柄の種類に応じて複数種類の課題図柄の中から何れか１つの図柄を決定することができる。
【０１３０】
なお、上記実施形態は以下のように変更してもよい。
・  実施形態において、ミッション演出の最低実行回数は１０回に限られない。
・  実施形態において、ミッション演出の実行中に課題図柄を変更させるミッション変更演出を実行するようにしても良い。
【０１３１】
・  実施形態において、各図柄列を構成する図柄数は、７個に限られない。つまり、各図柄列を構成する図柄数が異なる場合であっても、本実施形態に示す計算式（１）を用いれば、禁則基準図柄を算出することができる。
【０１３２】
・  実施形態において、大当り抽選に当選した場合には、増加後リーチ図柄に含まれる図柄と同一の図柄を課題図柄として決定するようにしても良い。このようにすることで、リーチ形成時に課題図柄と同一の図柄でリーチが形成されなかった場合、大当り抽選に当選していないと認識することになるが、リーチラインが増加することによって課題図柄とリーチライン増加後のリーチ図柄が一致することになり、ミッション達成となる。これにより、ミッション未達成という印象を抱かせつつ、リーチライン増加によってミッション達成となるので、意外性を与えることができる。
【０１３３】
・  実施形態における大当りの種類として、大当り遊技終了後に確変状態を付与する確変大当りと、大当り遊技終了後に確変状態を付与しない非確変大当りを設定しても良い。なお、「確変状態」とは、確変大当りに当選したことを条件として、大当り遊技終了後に大当りの抽選確率状態を低確率抽選状態から高確率抽選状態に変動させる状態を指す。このような場合、演出表示装置２２に確定停止表示される飾り図柄のうち、［１１１］、［３３３］、［５５５］、及び［７７７］によって構成される大当りの図柄組み合わせを、確変大当りを確定的に認識し得る図柄組み合わせ（確変確定の大当り図柄）として設定しても良い。一方、演出表示装置２２に確定停止表示される飾り図柄のうち、［２２２］、［４４４］、及び［６６６］によって構成される大当りの図柄組み合わせを、非確変大当りを確定的に認識し得る図柄組み合わせ（非確変確定の大当り図柄）として設定しても良い。このように設定した場合において、ライン増加数が２本に設定された大当り演出用の変動パターンＰ５が選択されるとともに、増加前リーチ図柄として［２］が決定されたとする。この場合、課題図柄として［１］が決定されたとすると、課題図柄［１］が導出されたとしても、最初は［２］でリーチが形成されるので、ミッション未達成となる。ところが、リーチラインが増加することによって、リーチ形成図柄が［１］と［２］となってしまい、リーチライン増加後のリーチ図柄と課題図柄が一致してしまうことになる。ところが、課題図柄と一致したリーチ図柄［１］は、確変大当りを確定的に認識させる図柄として設定しているため、課題図柄とリーチ図柄が一致したにもかかわらず、大当り遊技終了後に確変状態が付与されないことになってしまう。したがって、このような場合には、課題図柄として、ライン増加後のリーチ図柄を除く図柄を決定する必要がある。
【０１３４】
・  実施形態において、各列における図柄の表示順序を変更しても良い。例えば、左列における図柄の表示順序を昇順とする一方で、右列における表示順序を降順としても良い。また、リーチラインが増加する前から、右列及び中列における表示順序を左列とは異なる表示順序で変動表示させても良い。このような場合であっても、本実施形態に示した計算式に従って演算を行うことで、課題図柄を算出することができる。ただし、左列の表示順序を昇順とする一方で、右列の表示順序を降順とした場合であっても、各図柄を特定する図柄番号は、本実施形態と同一であるとする。ただし、変動パターンＰ４が選択された場合における基準図柄を［４］とした場合、当該図柄は有効ラインＬ３上に表示される一方で、禁則基準図柄は［３］となり、当該図柄は有効ラインＬ２上に表示される。この場合、計算式（１）に当てはめると、（０３Ｈ＋０７Ｈ−０１Ｈ）÷０７Ｈ＝１…０２Ｈとなるので、剰余値としての「０２Ｈ」で特定される図柄は、［３］となり、計算式（１）を用いて禁則基準図柄として［３］を算出できる。また、左列の表示順序を昇順とする一方で、右列の表示順序を降順とした場合であっても、計算式（２）及び計算式（３）を用いて課題図柄を算出することができる。例えば、禁則基準図柄として［３］が算出された際に、課題図柄を特定する図柄番号として、「０３Ｈ」を選択した場合、仮課題図柄を特定する図柄番号（０３Ｈ）が禁則基準図柄を特定する図柄番号（０２Ｈ）以上の値となるため、計算式（３）に当てはめると、０２Ｈ＋０２Ｈ＝０４Ｈとなり、課題図柄として［５］が算出されることとなる。なお、図柄番号を本実施形態とは逆に付した場合、計算式（１）は、禁則基準図柄を特定する図柄番号＝（基準図柄を特定する図柄番号（第１特定値）＋リーチ形成列を構成する図柄数＋リーチライン増加数）÷リーチ形成列を構成する図柄数…（１）となる。
【０１３５】
・  実施形態において、増加後リーチ図柄は、増加前リーチ図柄を有効ラインＬ１上に表示し、当該ラインを中心に上下方向にリーチラインが増加するような態様であっても良い。
【０１３６】
・  実施形態において、リーチラインの増加は、１本のリーチラインから２本のリーチラインに増加するような態様であっても良い。また、２本のリーチラインから３本のリーチラインに増加するような態様であっても良い。つまり、リーチラインの本数が変更前よりも変更後の方が多くなるのであれば、どのような本数であっても良い。
【０１３７】
・  実施形態において、各図柄列を構成する図柄数は異なっていても良い。このような場合、計算式（１）及び計算式（２）で使用される図柄列を構成する図柄数は、リーチ形成列を構成する図柄数となる。
【０１３８】
・  実施形態において、各図柄列において変動表示される図柄は、数字図柄ではなく果物や乗り物などとしても良い。このよう場合、本実施形態のように、内部的に各図柄を特定する図柄番号が対応付けられているものとする。
【０１３９】
・  本実施形態では、演出表示装置２２を液晶式としたが、ドットマトリクス式や７セグメントＬＥＤ式の演出表示装置としてもよいし、ドラム式などの機械式の演出表示装置としてもよい。
【０１４０】
・  実施形態は、特別図柄と飾り図柄を用いるパチンコ遊技機１０に具体化したが、特別図柄のみを用いるパチンコ遊技機に具体化しても良い。
・  実施形態において、サブ統括制御基板３６を省略し、サブ統括制御基板３６で実行する処理を演出表示制御基板３７で実行するようにしても良い。また、サブ統括制御基板３６と、音声・ランプ制御基板３８と、音声・ランプ制御基板３８とを単一の基板で構成しても良い。
【０１４１】
次に、上記実施形態及び別例から把握できる技術的思想を以下に追加する。
（イ）前記演出制御手段は、前記第２リーチ演出中、特定の図柄列において前記第１リーチ演出における表示順序とは逆の表示順序で図柄を表示させることでリーチ形成図柄を基準として予め定めた基準方向に沿って表示順序が連続する図柄を表示させることで前記リーチラインの本数を前記第１本数以上とすることを特徴とする請求項１〜請求項３のうちいずれか一項に記載の遊技機。
【０１４２】
（ロ）各図柄列で変動表示される図柄の種類は、各図柄の種類を特定する特定値によって管理されており、前記第２リーチ演出実行時における第１停止列の図柄を特定する特定値は降順となっている一方で、第２停止列及び第３停止列の図柄を特定する特定値は昇順となっており、前記課題決定手段は、大当りか否かの大当り抽選に当選しなかった際に前記特定演出が実行される場合、前記第１リーチ演出で導出されるリーチ形成図柄を特定する第１特定値に基準としたリーチ形成列の図柄数を加算した値からリーチライン増加数を減算した値を第１の演算値とし、該第１の演算値を前記図柄数で除算した際の剰余値を、前記第２リーチ演出で導出されるリーチ形成図柄を特定する第２特定値として算出し、前記図柄数から前記第２リーチ演出におけるリーチライン数を減算した数分の課題決定値の中から何れか１つの値をランダムに決定するとともに、該課題決定値で特定される値を仮図柄として決定し、前記課題決定値で特定される仮図柄が前記第２特定値で特定される図柄よりも表示順序が前であった場合、決定した仮図柄を課題図柄として決定する一方で、前記課題決定値で特定される仮図柄が前記第２特定値で特定される図柄と同じ場合、又は前記図柄よりも表示順序が後であった場合、前記課題決定値に前記第２リーチ演出におけるリーチライン数を減算した値を、新たな課題決定値とすることを特徴とする請求項１又は請求項２に記載の遊技機。
【符号の説明】
【０１４３】
ＧＨ…画像表示部、ＳＷ１…始動口スイッチ、１０…パチンコ遊技機、２２…演出表示装置（表示手段）、２３…特別図柄表示装置、２５…始動入賞口、２５ａ…入球口、２６…大入賞口扉、２７…大入賞口、３５…主制御基板、３５ａ…主制御用ＣＰＵ（演出内容決定手段）、３５ｂ…主制御用ＲＯＭ、３５ｃ…主制御用ＲＡＭ、３６…サブ統括制御基板、３６ａ…統括制御用ＣＰＵ（リーチ形成図柄決定手段、課題決定手段、演出制御手段）、３７…演出表示制御基板、３７ａ…表示制御用ＣＰＵ（演出制御手段）。
【図１】
2011172864.tif 000003
【図２】
2011172864.tif 000004
【図３】
2011172864.tif 000005
【図４】
2011172864.tif 000006
【図５】
2011172864.tif 000007
【図６】
2011172864.tif 000008
【図７】
2011172864.tif 000009
【図８】
2011172864.tif 000010
【図９】
2011172864.tif 000011
【図１０】
2011172864.tif 000012